(57)【要約】容器手段が、キャップ手段（５；２２；２５；３５；１３５）をねじ込み可能なねじ手段（３）を備える首部手段（１）と、前述のキャップ手段（５；２２；２５；３５）の開封表示手段（１１；２３；２６；３０；３９）との相互作用に適するコントラスト手段（６；６ａ）とを含み、前述のコントラスト手段（６；６a）が前述のねじ手段（３）のらせん手段に沿って提供され、キャップ手段が容器の首部手段（１）のさらなるねじ手段（３）との相互作用に適するねじ手段（３８；１３８）と、停止手段（６００）を備える開封表示手段（３９；４０１）とを含み、前述の停止手段（６００）が前述のねじ手段（３８；１３８）のらせん手段に沿って提供される。【選択図】なし
2009524556.tif 000002
【特許請求の範囲】
【請求項１】
キャップ手段（５；２２；２５；３５；１３５）をねじ込み可能なねじ手段（３）を備える首部手段（１）と、前記キャップ手段（５；２２；２５；３５；１３５）の開封表示手段（１１；２３；２６；３０；３９；４０１）との相互作用に適するコントラスト手段（６；６ａ）とを含んでいて、前記コントラスト手段（６；６ａ）が前記ねじ手段（３）のらせん手段に沿って提供されることを特徴とする、容器手段。
【請求項２】
前記コントラスト手段（６；６ａ）が前記ねじ手段（３）に提供されることを特徴とする、請求項１に記載の容器手段。
【請求項３】
前記コントラスト手段（６；６ａ）が、前記キャップ手段（９；２２；２５；３５）を前記首部手段（１）から離れさせる方向に沿って、意図された開封方向（Ｈ）に対し横方向に配置される第１当接面（７；３１）を含んでいることを特徴とする、請求項１または請求項２に記載の容器手段。
【請求項４】
前記首部手段（１）が、前記首部手段（１）の厚み部分上に延在し、前記第１当接面（７；３１）を規定する壁によって区切られるくぼみを含んでいることを特徴とする、請求項３に記載の容器手段。
【請求項５】
前記コントラスト手段（６；６ａ）が、事実上、前記ねじ手段（３）と平行に配置される第２当接面（２０；３２）を含んでいることを特徴とする、請求項１〜請求項４のいずれか１つに記載の容器手段。
【請求項６】
前記第２当接面（２０；３２）が、前記首部手段（１）の開口部（５）からもっとも遠い前記ねじ手段（３）の１つのゾーンで得られることを特徴とする、請求項５に記載の容器手段。
【請求項７】
前記第２当接面（２０；３２）が、前記第１当接面（７；３１）に対し横方向に配置されることを特徴とする、請求項５または請求項６（請求項５は請求項３または請求項４に付記される）に記載の容器手段。
【請求項８】
前記首部手段（１）が、前記首部手段（１）の厚み部分上に延在し、前記第２当接面（２０；３２）の一部を規定するさらなる壁によって区切られるさらなるくぼみを含んでいることを特徴とする、請求項５〜請求項７のいずれか１つに記載の容器手段。
【請求項９】
前記第２当接面（２０；３２）が、前記開封表示手段（１１；２３；２６；３０；３９；４０１）の対応するさらなる把持促進手段（２０２）との連係に適する把持促進手段（２０３）を含んでいることを特徴とする、請求項５〜請求項８のいずれか１つに記載の容器手段。
【請求項１０】
前記把持促進手段（２０３）が波形部（２０５）を含んでいることを特徴とする、請求項９に記載の容器手段。
【請求項１１】
前記コントラスト手段（６ａ）が、前記第１当接面（７）が得られる前記コントラスト手段（６ａ）の一部においてより大きな断面を有することを特徴とする、請求項３または請求項４、あるいは請求項５〜請求項８のいずれか１つ（請求項３または請求項４に付記される）に記載の容器手段。
【請求項１２】
前記コントラスト手段が、前記首部手段（１）の開口部（５）からもっとも遠い前記ねじ手段（３）の端部ゾーンにおいて提供されるコントラスト部分（６；６ａ）を含んでいることを特徴とする、前記請求項のいずれかに記載の容器手段。
【請求項１３】
前記ねじ手段が複数のねじ（３）を含んでいることを特徴とする、前記請求項のいずれかに記載の容器手段。
【請求項１４】
前記複数のねじ（３）の各ねじ（３）が前記コントラスト部分手段のコントラスト部分（６）を含んでいることを特徴とする、請求項１３（請求項１２に付記される）に記載の容器手段。
【請求項１５】
前記請求項のいずれかによる、そして前記開封表示手段（１１；２３；２６；３０；３９；４０１）と相互作用するために配置されるさらなるコントラスト手段（７１；７４；８４）をさらに含む、容器手段。
【請求項１６】
前記さらなるコントラスト手段（７１；７４；８４）が首部手段（１）から円周方向に延在していることを特徴とする、請求項１５に記載の容器手段。
【請求項１７】
前記さらなるコントラスト手段（７１；７４）が、前記ねじ手段（３）よりも前記首部手段（１）の開口部（５）からより遠いことを特徴とする、請求項１５または請求項１６に記載の容器手段。
【請求項１８】
前記コントラスト手段が、前記キャップ手段（９；２２；２５；３５；１３５）を前記首部手段（１）から離れさせる方向に沿って、意図された開封方向（Ｈ）に対し横方向に配置される作用表面（７２）を備える第１さらなるコントラスト手段（７１）を含んでいることを特徴とする、請求項１７に記載の容器手段。
【請求項１９】
前記第１さらなるコントラスト手段（７１）が、前記作用表面（７２）に対し横方向に配置されるさらなる作用表面（８２）を含んでいることを特徴とする、請求項１８に記載の容器手段。
【請求項２０】
前記作用表面（７２）と前記第１当接面（７；３１）とが、事実上、同一表面上にあることを特徴とする、請求項１８または請求項１９（請求項１８は請求項３または請求項４に付記される）、あるいは請求項５〜請求項１７（請求項３または請求項４に付記される）のいずれか１つに記載の容器手段。
【請求項２１】
前記第１さらなるコントラスト手段（７１）が、前記開口部（５）を基準として反対側の前記ねじ手段（３）から延在していることを特徴とする、請求項１８〜請求項２０のいずれか１つに記載の容器手段。
【請求項２２】
前記さらなるコントラスト手段が、前記キャップ手段（９；２２；２５；３５；１３５）を前記首部手段（１）から離れさせる方向に沿って、意図された開封方向（Ｈ）に対し横方向に配置される作用面（７５）を備える第２さらなるコントラスト手段（７４）を含んでいることを特徴とする、請求項１７〜請求項２１のいずれか１つに記載の容器手段。
【請求項２３】
前記第２さらなるコントラスト手段（７４）が、前記作用面（７５）に対し横方向に配置されるさらなる作用面（７６）を含んでいることを特徴とする、請求項２２に記載の容器手段。
【請求項２４】
前記第１さらなるコントラスト手段が互いに異なる複数の第１さらなるコントラスト要素（７１）を含み、前記第２さらなるコントラスト手段が互いに異なる複数の第２さらなるコントラスト要素（７４）を含んでいることを特徴とする、請求項２２または請求項２３（請求項２２は請求項１８〜請求項２１のいずれか１つに付記される）に記載の容器手段。
【請求項２５】
前記複数の第１さらなるコントラスト要素（７１）と前記複数の第２さらなるコントラスト要素（７４）とは、事実上、同じ平面上に位置することを特徴とする、請求項２４に記載の容器手段。
【請求項２６】
前記複数の第１さらなるコントラスト要素の各第１さらなるコントラスト要素（７１）が、前記複数の第２コントラスト要素の２つの第２さらなるコントラスト要素（７４）の間に介装されていることを特徴とする、請求項２４または請求項２５に記載の容器手段。
【請求項２７】
前記第１さらなるコントラスト手段が互いに異なる第１さらなるコントラスト要素（７１）を含み、前記第２さらなるコントラスト手段が環状形を有する第２さらなるコントラスト要素（７４ｃ）を含んでいることを特徴とする、請求項２２または請求項２３（請求項２２は請求項１８〜請求項２１のいずれか１つに付記される）に記載の容器手段。
【請求項２８】
前記さらなるコントラスト手段が第３さらなるコントラスト手段（８４）を含み、前記第３さらなるコントラスト手段（８４）と前記コントラスト手段（６）が、事実上、同一平面上に位置することを特徴とする、請求項１５または請求項１６に記載の容器手段。
【請求項２９】
前記第３さらなるコントラスト手段（８４）が、前記キャップ手段（９；２２；２５；３５；１３５）を前記首部手段（１）から離れさせる方向に沿って、意図された開封方向（Ｈ）に対し横方向に配置される作用面（８５）を備えることを特徴とする、請求項２８に記載の容器手段。
【請求項３０】
前記第３さらなるコントラスト手段（８４）が、前記作用面（８５）に対し横方向に配置されるさらなる作用面（８６）を含んでいることを特徴とする、請求項２９に記載の容器手段。
【請求項３１】
前記第３さらなるコントラスト手段が、互いに異なる複数の第３さらなるコントラスト要素（８４）を含んでいることを特徴とする、請求項２８〜請求項３０のいずれか１つに記載の容器手段。
【請求項３２】
前記複数の第３さらなるコントラスト要素（８４）と前記コントラスト部分（６）が、事実上、同一平面上に位置することを特徴とする、請求項３１（請求項１５は請求項１４に付記される）に記載の容器手段。
【請求項３３】
前記複数の第３さらなるコントラスト要素の各第３コントラスト要素（８４）が、前記コントラスト部分の隣接する２つのコントラスト部分（６）の間に介装されていることを特徴とする、請求項３２に記載の容器手段。
【請求項３４】
前記第３さらなるコントラスト手段が、環状形を有する第３さらなるコントラスト要素（８４ｃ）を含んでいることを特徴とする、請求項２８〜請求項３０に記載の容器手段。
【請求項３５】
容器の首部手段（１）のさらなるねじ手段（３）および停止手段（６００）を備える開封表示手段（３９；４０１）との相互作用に適するねじ手段（３８；１３８）を含み、前記停止手段（６００）が前記ねじ手段（３８；１３８）のらせん手段に沿って提供されることと特徴とする、キャップ手段。
【請求項３６】
前記停止手段（６００）が前記ねじ手段（１３８）において提供されることを特徴とする、請求項３５に記載のキャップ手段。
【請求項３７】
前記ねじ手段（１３８）が、前記停止手段（６００）によって分離されるねじ部分手段（４０４）を含み、前記停止手段（６００）と前記ねじ部分手段（４０４）が前記らせん手段の同一らせんに沿って延在していることを特徴とする、請求項３５または請求項３６に記載のキャップ手段。
【請求項３８】
前記ねじ部分手段（４０４）と前記停止手段（６００）の間に空隙手段（４０７）が介装されていることを特徴とする、請求項３７に記載のキャップ手段。
【請求項３９】
前記開封表示手段（４０１）と前記キャップ手段の基体（４０６）の間に介装される分離用ライン手段（４０２）が、前記分離用ライン手段（４０２）を基準として反対側に配置される前記空隙手段（４０７）、前記停止手段（６００）、および前記第３ねじ部分手段（４０４）を横断することを特徴とする、請求項３８に記載のキャップ手段。
【請求項４０】
前記ねじ部分手段（４０４）が、前記基体（４０６）に伸展していることを特徴とする、請求項３９に記載のキャップ手段。
【請求項４１】
前記停止手段（６００）が、前記首部手段（１）と関連のある当接手段（７１）との相互作用に適するコントラスト表面手段（４０８）を含んでいることを特徴とする、請求項３７〜請求項４０のいずれか１つに記載のキャップ手段。
【請求項４２】
前記コントラスト表面手段（４０８）が、前記キャップ手段を前記首部手段（１）から離れさせる方向に沿って、意図された開封方向に対し横方向に配置されることを特徴とする、請求項４１に記載のキャップ手段。
【請求項４３】
前記停止手段が、互いに異なる複数の停止要素（６００）を含んでいることを特徴とする、請求項３７〜請求項４２のいずれか１つに記載のキャップ手段。
【請求項４４】
前記コントラスト表面手段（４０８）が互いに異なる複数のコントラスト表面（４０８ａ、４０８ｂ、４０８ｃ）を含み、前記複数の停止要素の各停止要素（６００）が前記複数のコントラスト表面の対応するコントラスト表面（４０８ａ、４０８ｂ、４０８ｃ）を含んでいることを特徴とする、請求項４３（請求項４１または請求項４２に付記される）に記載のキャップ手段。
【請求項４５】
前記停止手段（６００）が、前記ねじ手段（１３８）のさらなるねじ部分手段（４０５）を含んでいることを特徴とする、請求項３７〜請求項４４のいずれか１つに記載のキャップ手段。
【請求項４６】
前記ねじ手段（１３８）が互いに異なる複数のねじを含み、前記さらなるねじ部分手段（４０５）が互いに異なる複数のねじ端部（４０５ａ、４０５ｂ、４０５ｃ）を含み、前記複数のねじの各ねじが前記複数のねじ端部の対応するねじ端部（４０５ａ、４０５ｂ、４０５ｃ）を含んでいることを特徴とする、請求項４５に記載のキャップ手段。
【請求項４７】
前記停止手段がフラップ手段を含んでいることを特徴とする、請求項３７〜請求項４４のいずれか１つに記載のキャップ手段。
【請求項４８】
前記フラップ手段が、前記キャップ手段（１）が回りながら前記首部手段（１）にはめられる際に、前記らせん手段の連続する２つのらせんの間で受けられるような寸法を有していることを特徴とする、請求項４７に記載のキャップ手段。
【請求項４９】
前記停止手段がフック手段を含んでいることを特徴とする、請求項３７〜請求項４４のいずれか１つに記載のキャップ手段。
【請求項５０】
前記フック手段が、前記キャップ手段（１）が回りながら前記首部手段（１）にはめられる際に、前記らせん手段の連続する２つのらせんの間で受けられるような寸法を有していることを特徴とする、請求項４９に記載のキャップ手段。
【請求項５１】
前記停止手段（６００）が、前記ねじ手段（３８）のねじ部分（４３）から横方向に突出するロック部分付属物手段（４０）を含んでいることを特徴とする、請求項３５または請求項３６に記載のキャップ手段。
【請求項５２】
前記ロック付属物手段（４０）が前記キャップ手段（３５）の底壁に向って突出していることを特徴とする、請求項５１に記載のキャップ手段。
【請求項５３】
前記ロック付属物手段（４０）が、前記ねじ手段（３８）の連続するらせんの間に含まれるゾーンを部分的に占有するように形設されることを特徴とする、請求項５１または請求項５２に記載のキャップ手段。
【請求項５４】
前記ねじ部分（４３）が、前記キャップ手段（３５）の底壁（３６）から遠い前記ねじ手段（３８）を規定していることを特徴とする、請求項５１〜請求項５３のいずれか１つに記載のキャップ手段。
【請求項５５】
前記ロック付属物手段（４０）が、前記キャップ手段（３５）の底壁（３６）から遠い前記ねじ部分（４３）の端部ゾーンで得られることを特徴とする、請求項５１〜請求項５４のいずれか１つに記載のキャップ手段。
【請求項５６】
前記開封表示手段（３９）と前記キャップ手段（３５）の本体（３７）の間に介装される前記分離用ライン手段（４４；４９；５６）をさらに含む、請求項３５または請求項３６、あるいは請求項５１〜請求項５５のいずれか１つに記載のキャップ手段。
【請求項５７】
前記分離用ライン手段が、前記本体（３７）から少なくとも一部が分離されるように配置される第１キャップ部分（６２）を区切る第１分離用ラインを含んでいることを特徴とする、請求項５６に記載のキャップ手段。
【請求項５８】
前記第１分離用ライン手段（４４）が、前記ねじ部分（４３）に対し横方向に配置される第１分離用ライン（４５）を含んでいることを特徴とする、請求項５７に記載のキャップ手段（請求項５６は請求項５１〜請求項５５のいずれか１つに付記される）に記載のキャップ手段。
【請求項５９】
前記第１分離用ライン（４５）が、前記キャップ手段（３５）の末端（４２）から、前記ねじ部分（４３）とさらなるねじ部分（４６）（前記ねじ部分（４３）を基準としてさらなる前記末端（４２）から遠い）の間に介装されるゾーンまで延在していることを特徴とする、請求項５８に記載のキャップ手段。
【請求項６０】
前記第１分離用ライン手段（４４）が、前記ねじ部分（４３）に対し横方向に配置される第２分離用ライン（４７）をさらに含んでいることを特徴とする、請求項５９に記載のキャップ手段。
【請求項６１】
前記第２分離用ライン（４７）が、前記末端（４２）から前記ねじ部分（４３）と前記さらなるねじ部分（４６）の間に介装されるさらなるゾーンまで延在していることを特徴とする、請求項６０に記載のキャップ手段。
【請求項６２】
前記第１分離用ライン（４５）と前記第２分離用ライン（４７）が、前記ロック付属物手段（４０）を基準として反対側に配置されることを特徴とする、請求項６０または請求項６１に記載のキャップ手段。
【請求項６３】
前記第１分離用ライン手段（４４）が、前記第１分離用ライン（４５）の端部（１１４）を前記第２分離用ライン（４７）のさらなる端部（１１５）に接続させる第３分離用ライン（４８）をさらに含んでいることを特徴とする、請求項６０〜請求項６２のいずれか１つに記載のキャップ手段。
【請求項６４】
前記第３分離用ライン（４８）が、事実上、前記末端（４２）と平行であることを特徴とする、請求項６３に記載のキャップ手段。
【請求項６５】
前記分離用ライン手段が、前記本体（３７）から少なくとも一部が分離されるように配置される第２キャップ部分（６３）を区切る第２分離用ライン手段（４９）を含んでいることを特徴とする、請求項５６に記載のキャップ手段。
【請求項６６】
前記第２分離用ライン手段（４９）が、事実上、前記キャップ手段（３５）の末端（４２）と平行して延在する第４分離用ライン（５０）を含んでいることを特徴とする、請求項６５に記載のキャップ手段。
【請求項６７】
前記第４分離用ライン（５０）が、前記ねじ手段（３８）を基準として前記末端（４２）により近いことを特徴とする、請求項６６に記載のキャップ手段。
【請求項６８】
前記第４分離用ライン（５０）が前記ねじ部分（４３）で中断されることを特徴とする、請求項６７（請求項５６は請求項５１〜請求項５５のいずれか１つに付記される）に記載のキャップ手段。
【請求項６９】
前記第２分離用ライン手段（４９）は、事実上、前記末端（４２）と平行して延在する第５分離用ライン（５３）をさらに含んでいることを特徴とする、請求項６８に記載のキャップ手段。
【請求項７０】
前記第５分離用ライン（５３）が、前記ねじ部分（４３）と前記ねじ部分（４３）を基準として前記末端（４２）から遠いさらなるねじ部分（４６）の間に延在していることを特徴とする、請求項６９に記載のキャップ手段。
【請求項７１】
前記第５分離用ライン（５３）が、前記ねじ部分（４３）より大きい円周方向の延在を有することを特徴とする、請求項７０に記載のキャップ手段。
【請求項７２】
前記第５分離用ライン（５３）が前記ねじ部分（４３）から左右に延在していることを特徴とする、請求項７１に記載のキャップ手段。
【請求項７３】
前記第２分離用ライン手段（４９）が、前記第５分離用ライン（５３）の第１端部（１１０）と前記第４分離用ライン（５０）のさらなる第１端部（１１１）を接続させるようにして、前記ねじ手段（３８）に対し横方向に配置される第６分離用ライン（５４）をさらに含んでいることを特徴とする、請求項７０〜請求項７２のいずれか１つに記載のキャップ手段。
【請求項７４】
前記第６分離用ライン（５４）が、中断ゾーンが前記ねじ部分（４３）に隣接している前記ねじ手段（３８）の中断ゾーン（５２）に延在していることを特徴とする、請求項７３に記載のキャップ手段。
【請求項７５】
前記第２分離用ライン手段（４９）が、前記第５分離用ライン（５３）の第２端部（１１２）と前記第４分離用ライン（５０）のさらなる第２端部（１１３）を接続させるようにして、前記ねじ手段（３８）に対し横方向に配置される第７分離用ライン（５５）をさらに含んでいることを特徴とする、請求項６９〜請求項７４のいずれか１つに記載のキャップ手段。
【請求項７６】
前記分離用ライン手段が、前記本体（３７）から少なくとも一部が分離されるように配置される第３キャップ部分（６４）を区切る第３分離用ライン手段（４４）を含んでいることを特徴とする、請求項５６に記載のキャップ手段。
【請求項７７】
前記第３分離用ライン手段（４４）が、事実上、前記ねじ手段（３８）と平行して延在する第８分離用ライン手段（５７）を含んでいることを特徴とする、請求項７６に記載のキャップ手段。
【請求項７８】
前記第８分離用ライン（５７）が、前記ねじ部分（４３）を基準として前記キャップ手段（３５）の末端（４２）から遠いことを特徴とする、請求項７７（請求項５６は請求項５１〜請求項５５のいずれか１つに付記される）に記載のキャップ手段。
【請求項７９】
前記第８分離用ライン（５７）が、前記本体（３７）の側壁の広範な部分に沿って延在していることを特徴とする、請求項７８に記載のキャップ手段。
【請求項８０】
前記第８分離用ライン（５７）が、事実上、３６０°の角の広がりを有することを特徴とする、請求項７９に記載のキャップ手段。
【請求項８１】
前記第８分離用ライン（５７）が、前記第１端部（１１６）と第２端部（１１７）を有し、前記第１端部（１１６）は第２端部（１１７）より前記末端（４２）から遠いことを特徴とする、請求項７８〜請求項８０のいずれか１つに記載のキャップ手段。
【請求項８２】
前記第３分離用ライン手段（５６）が、前記ねじ手段（３８）に対し横方向に配置され、前記第１末端（１１６）と前記第２末端（１１７）を接続させる第９分離用ライン（５６）を含んでいることを特徴とする、請求項８１に記載のキャップ手段。
【請求項８３】
前記ねじ手段が複数のねじ（３８）を含んでいることを特徴とする、請求項３５または請求項３６、あるいは請求項５１〜請求項８２のいずれか１つに記載のキャップ手段。
【請求項８４】
前記ロック付属物手段のロック付属物（４０）が前記複数のねじの各ねじ（３８）を備えていることを特徴とする、請求項８３（請求項５１〜請求項５５のいずれか１つに付記される）、あるいは請求項５６〜請求項８２のいずれか１つ（請求項５１〜請求項５５のいずれか１つに付記される）に記載のキャップ手段。
【請求項８５】
コントラスト手段（６；６ａ）が、前記開封表示手段（１１；２３；２６；３０；３９；４０１）との相互作用のために前記ねじ手段（３）のらせん手段に沿って配置されることを特徴とする、開封表示手段（１１；２３；２６；３０；３９；４０１）と、ねじ手段（３）を備える容器の首部手段（１）とを備えるキャップ手段（９；２２；２５；３５；１３５）を含む、クロージャー手段。
【請求項８６】
前記コントラスト手段（６；６ａ）が前記ねじ手段（３）に配置されることを特徴とする、請求項８５に記載のクロージャー手段。
【請求項８７】
前記コントラスト手段（６；６ａ）が、前記キャップ手段（９；２２；２５；３５）を前記首部手段（１）から離れさせる方向に沿って、意図された開封方向（Ｈ）に対し横方向に配置される第１当接面（７；３１）を含んでいることを特徴とする、請求項８５または請求項８６に記載のクロージャー手段。
【請求項８８】
前記首部手段（１）が、前記首部手段（１）の厚み部分上に延在し、前記第１当接面（７；３１）の一部を規定する壁によって区切られるくぼみを含んでいることを特徴とする、請求項８７に記載のクロージャー手段。
【請求項８９】
前記コントラスト手段（６：６ａ）が、事実上、前記ねじ手段（３）と平行に配置される第２当接面（２０；３２）を含んでいることを特徴とする、請求項８５〜請求項８８のいずれか１つに記載のクロージャー手段。
【請求項９０】
前記第２当接面（２０；３２）が、前記首部手段（１）の開口部（５）から遠い前記ねじ手段（３）の１つのゾーンで得られることを特徴とする、請求項８９に記載のクロージャー手段。
【請求項９１】
前記第２当接面（２０；３２）が、前記第１当接面（７；３１）に対し横方向に配置されることを特徴とする、請求項８９または請求項９０（請求項８９は請求項８７または請求項８８に付記される）に記載のクロージャー手段。
【請求項９２】
前記首部手段（１）が、前記首部手段（１）の厚み部分上に延在し、前記第２当接面（２０；３２）の一部を規定するさらなる壁によって区切られるさらなるくぼみを含んでいることを特徴とする、請求項８９〜請求項９１のいずれか１つに記載のクロージャー手段。
【請求項９３】
前記第２当接面（２０；３２）が、前記開封表示手段（１１；２３；２６；３０）の対応するさらなる把持促進手段（２０２）と連係するのに適する把持促進手段（２０３）を含んでいることを特徴とする、請求項８９〜請求項９２のいずれか１つに記載のクロージャー手段。
【請求項９４】
前記把持促進手段（２０３）が波形部（２０５）を含んでいることを特徴とする、請求項９３に記載のクロージャー手段。
【請求項９５】
前記コントラスト手段（６ａ）が、前記第１当接面（７）が得られる前記コントラスト手段（６ａ）の一部においてより大きな断面を有することを特徴とする、請求項８７または請求項８８、あるいは請求項８９〜請求項９４のいずれか１つ（請求項８７または請求項８８に付記される）に記載のクロージャー手段。
【請求項９６】
前記コントラスト手段が、前記首部手段（１）の開口部（５）から遠い前記ねじ手段（３）の端部ゾーンに位置するコントラスト部分手段（６；６ａ）を含んでいることを特徴とする、請求項８５〜請求項９５のいずれか１つに記載のクロージャー手段。
【請求項９７】
前記ねじ手段が複数のねじ（３）を含んでいることを特徴とする、請求項８５〜請求項９６のいずれか１つに記載のクロージャー手段。
【請求項９８】
前記複数のねじ（３）の各ねじ（３）が、前記コントラスト部分のコントラスト部分（６）を含んでいることを特徴とする、請求項９７（請求項９６に付記される）に記載のクロージャー手段。
【請求項９９】
前記開封表示手段（１１；２３；２６；３０；３９）と相互作用するために配置されるさらなるコントラスト手段（７１；７４；８４）をさらに含んでいる、請求項８５〜請求項９８のいずれか１つに記載のクロージャー手段。
【請求項１００】
前記さらなるコントラスト手段（７１；７４；８４）が前記首部手段（１）から円周方向に延在していることを特徴とする、請求項９９に記載のクロージャー手段。
【請求項１０１】
前記さらなるコントラスト手段（７１；７４）が、前記ねじ手段（３）を基準として前記首部手段（１）の開口部（５）から遠いことを特徴とする、請求項９９または請求項１００に記載のクロージャー手段。
【請求項１０２】
前記さらなるコントラスト手段が、前記キャップ手段（９；２２；２５；３５；１３５）を前記首部手段（１）から離れさせる方向に沿って、意図された開封方向（Ｈ）に対し横方向に配置される作用表面（７２）を備える第１さらなるコントラスト手段（７１）を含んでいることを特徴とする、請求項１０１に記載のクロージャー手段。
【請求項１０３】
前記さらなるコントラスト手段（７１）が、前記作用表面（７２）に対し横方向に配置されるさらなる作用表面（８２）を含んでいることを特徴とする、請求項１０２に記載の容器手段。
【請求項１０４】
前記作用表面（７２）と前記第１当接面（７；３１）が、事実上、同一表面上にあることを特徴とする、請求項１０２または請求項１０３（請求項１０２は請求項８７または請求項８８に付記される）、あるいは請求項８９〜請求項１０１のいずれか１つ（請求項８７または請求項８８に付記される）に記載のクロージャー手段。
【請求項１０５】
前記第１さらなるコントラスト手段（７１）が、前記開口部（５）を基準として反対側の前記ねじ手段（３）から延在していることを特徴とする、請求項１０２〜請求項１０４のいずれか１つに記載のクロージャー手段。
【請求項１０６】
前記さらなるコントラスト手段が、前記キャップ手段（９；２２；２５；３５；１３５）を前記首部手段（１）から離れさせる方向に沿って、意図された開封方向（Ｈ）に対し横方向に配置される作用面（７５）を備える第２さらなるコントラスト手段（７４）を含んでいることを特徴とする、請求項１０１〜請求項１０５のいずれか１つに記載のクロージャー手段。
【請求項１０７】
前記第２さらなるコントラスト手段（７４）が、前記作用表面（７５）に対し横方向に配置されるさらなる作用面（７６）を含んでいることを特徴とする、請求項１０６に記載のクロージャー手段。
【請求項１０８】
前記第１さらなるコントラスト手段が互いに異なる複数の第１さらなるコントラスト要素（７１）を含み、前記第２さらなるコントラスト手段が互いに異なる複数の第２さらなるコントラスト要素（７４）を含んでいることを特徴とする、請求項１０６または請求項１０７（請求項１０６は請求項１０２〜請求項１０５のいずれか１つに付記される）に記載のクロージャー手段。
【請求項１０９】
前記複数の第１さらなるコントラスト要素（７１）と前記複数の第２さらなるコントラスト要素（７４）が、事実上、同一平面上に位置することを特徴とする、請求項１０８に記載のクロージャー手段。
【請求項１１０】
前記複数の第１さらなるコントラスト要素の各第１さらなるコントラスト要素（７１）が、前記複数の第２さらなるコントラスト要素の２つの第２さらなるコントラスト要素の間に介装されていることを特徴とする、請求項１０８または請求項１０９に記載のクロージャー手段。
【請求項１１１】
前記第１さらなるコントラスト手段が互いに異なる複数の第１さらなるコントラスト要素（７１）を含み、前記第２さらなるコントラスト手段が環状形を有する第２さらなるコントラスト要素（７４ｃ）を含んでいることを特徴とする、請求項１０６または請求項１０７（請求項１０６は請求項１０２〜請求項１０５のいずれか１つに付記される）に記載のクロージャー手段。
【請求項１１２】
前記さらなるコントラスト手段が第３さらなるコントラスト手段（８４）を含み、前記第３さらなるコントラスト手段と前記コントラスト手段（６）が、事実上、同一平面上に位置することを特徴とする、請求項９９または請求項１００に記載のクロージャー手段。
【請求項１１３】
前記第３さらなるコントラスト手段（８４）が、前記キャップ手段（９；２２；２５；３５；１３５）を前記首部手段（１）から離れさせる方向に沿って、意図された開封方向（Ｈ）に対し横方向に配置される作用面（８５）を備えることを特徴とする、請求項１１２に記載のクロージャー手段。
【請求項１１４】
前記第３さらなるコントラスト手段（８４）が、前記作用面（８５）を基準として横方向に配置されるさらなる作用面（８６）を含んでいることを特徴とする、請求項１１３に記載のクロージャー手段。
【請求項１１５】
前記第３さらなるコントラスト手段が、互いに異なる複数の第３さらなるコントラスト要素（８４）を備えることを特徴とする、請求項１１２〜請求項１１４のいずれか１つに記載のクロージャー手段。
【請求項１１６】
前記複数の第３さらなるコントラスト要素（８４）と前記コントラスト部分（６）が、事実上、同一平面上に位置することを特徴とする、請求項１１５（請求項９９は請求項９８に付記される）に記載のクロージャー手段。
【請求項１１７】
前記複数の第３さらなるコントラスト要素の各第３さらなるコントラスト要素（８４）が、前記コントラスト部分の近接する２つのコントラスト部分の間に介装されていることを特徴とする、請求項１１６に記載のクロージャー手段。
【請求項１１８】
前記第３さらなるコントラスト手段が、環状形を有する第３さらなるコントラスト要素（８４ｃ）を含んでいることを特徴とする、請求項１１２〜請求項１１４に記載のクロージャー手段。
【請求項１１９】
前記キャップ手段（３５）が、前記ねじ手段（３）と相互作用するために配置されるさらなるねじ手段（３８）を含んでいて、前記さらなるねじ手段（３８）に前記開封表示手段（３９）のロック手段（４０）が提供され、前記ロック手段（４０）が前記コントラスト手段（６；６ａ）と相互作用するために配置されることを特徴とする、請求項８５〜請求項１１８のいずれか１つに記載のクロージャー手段。
【請求項１２０】
前記ロック手段が、前記ねじ手段（３８）のねじ部分（４３）から横方向に突出するロック付属物手段（４０）を含んでいることを特徴とする、請求項１１９に記載のクロージャー手段。
【請求項１２１】
前記ロック付属物手段（４０）が前記キャップ手段（３５）の底壁（３６）に向って突出していることを特徴とする、請求項１２０に記載のクロージャー手段。
【請求項１２２】
前記ロック付属物手段（４０）が、前記さらなるねじ手段（３８）の連続するらせんの間に含まれるゾーンを部分的に占有するように形設されることを特徴とする、請求項１２０または請求項１２１に記載のクロージャー手段。
【請求項１２３】
前記ねじ部分（４３）が、前記キャップ手段（３５）の底壁（３６）から遠い前記さらなるねじ手段（３８）の端部を規定することを特徴とする、請求項１２０〜請求項１２２のいずれか１つに記載のクロージャー手段。
【請求項１２４】
前記ロック付属物手段（４０）が、前記キャップ手段（３５）の底壁（３６）から遠い前記ねじ部分（４３）の端部ゾーンで得られることを特徴とする、請求項１２０〜請求項１２３のいずれか１つに記載のクロージャー手段。
【請求項１２５】
前記開封表示手段（３９）と前記キャップ手段（３５）の本体（３７）の間に介装される分離用ライン手段（４４；４９；５６）をさらに含む、請求項１１９〜請求項１２４のいずれか１つに記載のクロージャー手段。
【請求項１２６】
前記分離用ライン手段が、前記本体（３７）から少なくとも一部が分離されるように配置される第１キャップ部分（６２）を区切る第１分離用ライン（４４）を含んでいることを特徴とする、請求項１２５に記載のクロージャー手段。
【請求項１２７】
前記第１分離用ライン手段（４４）が、前記ねじ部分（４３）に対し横方向に配置される第１分離用ライン（４５）を含んでいることを特徴とする、請求項１２６（請求項１２５は請求項１２０〜請求項１２４のいずれか１つに付記される）に記載のクロージャー手段。
【請求項１２８】
前記第１分離用ライン（４５）が、前記キャップ手段（３５）の末端（４２）から、前記ねじ部分（４３）と前記ねじ部分（４３）より前記末端（４２）から遠いさらなるねじ部分（４６）の間に介装されているゾーンまで延在していることを特徴とする、請求項１２７に記載のクロージャー手段。
【請求項１２９】
前記第１分離用ライン手段（４４）が、前記ねじ部分（４３）に対し横方向に配置される第２分離用ライン（４７）を含んでいることを特徴とする、請求項１２８に記載のクロージャー手段。
【請求項１３０】
前記第２分離用ライン（４７）が、前記末端（４２）から前記ねじ部分（４３）と前記さらなるねじ部分（４６）の間に介装されるさらなるゾーンまで延在していることを特徴とする、請求項１２９に記載のクロージャー手段。
【請求項１３１】
前記第１分離用ライン（４５）と前記第２分離用ライン（４７）が、ロック付属物手段（４０）の反対側に配置されることを特徴とする、請求項１２９または請求項１３０に記載のクロージャー手段。
【請求項１３２】
前記第１分離用ライン手段（４４）が、前記第１分離用ライン（４５）の端部（１１４）と前記第２分離用ライン（４７）のさらなる端部（１１５）を接続させる第３分離用ライン（４８）をさらに含んでいることを特徴とする、請求項１２９〜請求項１３１のいずれか１つに記載のクロージャー手段。
【請求項１３３】
前記第３分離用ライン（４８）が、事実上、前記末端（４２）と平行であることを特徴とする、請求項１３２に記載のクロージャー手段。
【請求項１３４】
前記分離用ライン手段が、前記本体（３７）から少なくとも一部が分離されるように配置される第２キャップ部分（６３）を区切る第２分離用ライン手段（４９）を含んでいることを特徴とする、請求項１２５に記載のクロージャー手段。
【請求項１３５】
前記第２分離用ライン手段（４９）が、事実上、前記キャップ手段（３５）の末端（４２）と平行して延在する第４分離用ライン（５０）を備えていることを特徴とする、請求項１３４に記載のクロージャー手段。
【請求項１３６】
前記第４分離用ライン（５０）が、前記さらなるねじ手段（３８）より前記末端（４２）に近いことを特徴とする、請求項１３５に記載のクロージャー手段。
【請求項１３７】
前記第４分離用ライン（５０）が前記ねじ部分（４３）で中断されることを特徴とする、請求項１３６（請求項１２５は請求項１２０〜請求項１２４のいずれか１つに付記される）に記載のクロージャー手段。
【請求項１３８】
前記第２分離用ライン手段（４９）が、事実上、前記末端（４２）と平行して延在する第５分離用ライン（５３）をさらに含んでいることを特徴とする、請求項１３７に記載のクロージャー手段。
【請求項１３９】
前記第５分離用ライン（５３）が、前記ねじ部分（４３）と前記ねじ部分（４３）より前記末端（４２）から遠いさらなるねじ部分（４６）の間に延在していることを特徴とする、請求項１３８に記載のクロージャー手段。
【請求項１４０】
前記第５分離用ライン（５３）が、前記ねじ部分（４３）より大きい円周方向の延在を有することを特徴とする、請求項１３９に記載のクロージャー手段。
【請求項１４１】
前記第５分離用ライン（５３）が前記ねじ部分（４３）から左右に延在していることを特徴とする、請求項１４０に記載のクロージャー手段。
【請求項１４２】
前記第２分離用ライン手段（４９）が、前記第５分離用ライン（５３）の第１端部（１１０）と前記第４分離用ライン（５０）のさらなる第１端部（１１１）を接続させるようにして、前記さらなるねじ手段（３８）に対し横方向に配置される第６分離用ライン（５４）をさらに含んでいることを特徴とする、請求項１３８〜請求項１４１のいずれか１つに記載のクロージャー手段。
【請求項１４３】
前記第６分離用ライン（５４）が、中断ゾーンが前記ねじ部分（４３）に隣接している前記さらなるねじ手段（３８）の中断ゾーン（５２）に伸展していることを特徴とする、請求項１４２に記載のクロージャー手段。
【請求項１４４】
前記第２分離用ライン（４９）が、前記第５分離用ライン（５３）の第２端部（１１２）と前記第４分離用ライン（５０）のさらなる第２端部（１１３）を接続させるようにして、前記さらなるねじ手段（３８）に対し横方向に配置される第７分離用ライン（５５）をさらに含んでいることを特徴とする、請求項１３８〜請求項１４３のいずれか１つに記載のクロージャー手段。
【請求項１４５】
前記分離用ライン手段が、前記本体（３７）から少なくとも一部が分離されるように配置される第３キャップ部分（６４）を区切る第３分離用ライン手段（４４）を含んでいることを特徴とする、請求項１２５に記載のクロージャー手段。
【請求項１４６】
前記第３分離用ライン手段（４４）が、事実上、前記ねじ手段（３８）と平行して延在する第８分離用ライン手段（５７）を含んでいることを特徴とする、請求項１４５に記載のクロージャー手段。
【請求項１４７】
前記第８分離用ライン（５７）が、前記ねじ部分（４３）より前記キャップ手段（３５）の末端（４２）から遠いことを特徴とする、請求項１４６（請求項１２５は請求項１２０〜請求項１２４のいずれか１つに付記される）に記載のクロージャー手段。
【請求項１４８】
前記第８分離用ライン（５７）が前記本体（３７）の側壁の広範な部分に沿って延在していることを特徴とする、請求項１４７に記載のクロージャー手段。
【請求項１４９】
前記第８分離用ライン（５７）が、事実上、３６０°の角の広がりを有することを特徴とする、請求項１４８に記載のクロージャー手段。
【請求項１５０】
前記第８分離用ライン（５７）が前記第１端部（１１６）と第２端部（１１７）を有し、前記第１端部（１１６）は第２端部（１１７）より前記末端（４２）から遠いことを特徴とする、請求項１４７〜請求項１４９のいずれか１つに記載のクロージャー手段。
【請求項１５１】
前記第３分離用ライン手段（５６）が、前記さらなるねじ手段（３８）に対し横方向に配置され、前記第１末端（１１６）と前記第２末端（１１７）を接続させる第９分離用ライン（６１）を含んでいることを特徴とする、請求項１５０に記載のクロージャー手段。
【請求項１５２】
前記さらなるねじ手段が複数のねじ（３８）を含んでいることを特徴とする、請求項１１９〜請求項１５１のいずれか１つに記載のクロージャー手段。
【請求項１５３】
前記複数のねじの各ねじ（３８）において前記ロック付属物手段のロック付属物（４０）が提供されることを特徴とする、請求項１５２（請求項１２０〜請求項１２４のいずれか１つに付記される）、あるいは請求項１２５〜請求項１５１のいずれか１つ（請求項１２０〜請求項１２４のいずれか１つに付記される）に記載のクロージャー手段。
【請求項１５４】
前記開封表示手段が、前記コントラスト手段（６；６ａ）と相互作用するために配置される突出手段（１１；２３；１００；２６；３０）を含んでいて、前記分離用ライン手段（４４；４９；５６）に沿って前記キャップ手段（９；２２；２５）の本体（３７）から前記開封表示手段を分離させることを特徴とする、請求項８５〜請求項１１８のいずれか１つに記載のクロージャー手段。
【請求項１５５】
前記突出手段（１１；２３；１００；２６；３０）が、前記第１当接面（７；３１）と相互作用するように形設されることを特徴とする、請求項１５４（請求項８７または請求項８８に付記される）、あるいは請求項８９〜請求項１１８のいずれか１つ（請求項８７または請求項８８に付記される）に記載のクロージャー手段。
【請求項１５６】
前記突出手段（１１；２３；１００；２６；３０）が、前記第１当接面（７；２１）と相互作用するために配置されるゾーン（１０１）を含んでいることを特徴とする、請求項１５５に記載のクロージャー手段。
【請求項１５７】
前記突出手段（１１；２３；１００；２６；３０）が、前記第２当接面（２０；３２）と相互作用するように形設されることを特徴とする、請求項１５４〜請求項１５６のいずれか１つ（請求項１５４は請求項８９〜請求項９４のいずれか１つに付記される）、あるいは請求項９５〜請求項１１８のいずれか１つ（請求項８９〜請求項９４のいずれか１つに付記される）に記載のクロージャー手段。
【請求項１５８】
前記突出手段（１１；２３；１００；２６；３０）が、前記第２当接面（２０；３２）と相互作用するために配置されるさらなるゾーン（２０１；３０１）を含んでいることを特徴とする、請求項１５７に記載のクロージャー手段。
【請求項１５９】
前記さらなるゾーン（２０１；３０１）が、事実上、前記第２当接面（２０；３２）と平行していることを特徴とする、請求項１５８に記載のクロージャー手段。
【請求項１６０】
前記さらなるゾーン（２０１；３０１）が、前記第２当接面（２０；３２）の対応するさらなる第１摩擦促進手段（２０３）と連係するための第１摩擦促進手段（２０２）を含んでいることを特徴とする、請求項１５８または請求項１５９に記載のクロージャー手段。
【請求項１６１】
前記第１摩擦促進手段（２０２）が波形部（２０４）を含んでいることを特徴とする、請求項１６０に記載の容器手段。
【請求項１６２】
前記突出手段（１１；２３；１００；２６；３０）が、前記ねじ手段（３）で得られる第３当接面（１２０）と相互作用するために配置されるさらなるゾーン（３０１）を含んでいることを特徴とする、請求項１５４〜請求項１６１のいずれか１つに記載のクロージャー手段。
【請求項１６３】
前記さらなるゾーン（３０１）が、事実上、前記第３当接面（１２０）と平行していることを特徴とする、請求項１６２に記載のクロージャー手段。
【請求項１６４】
前記さらなるゾーン（３０１）が、前記第３当接面（１２０）の対応する第２摩擦促進手段と連係する第２摩擦促進手段を含んでいることを特徴とする、請求項１６２または請求項１６３に記載のクロージャー手段。
【請求項１６５】
前記第２摩擦促進手段がさらなる波形部を有することを特徴とする、請求項１６４に記載の容器手段。
【請求項１６６】
前記突出手段（１１；２３；１００；２６；３０）が少なくとも１つの第１部分（１８）と少なくとも１つの第２部分（１９）とを含み、前記キャップ手段（３５）の辺縁に対し横方向に測定した寸法が、前記辺縁（４２）に対し横方向に測定した前記少なくとも１つの第２部分（１９）の対応するさらなる寸法よりも大きいことを特徴とする、請求項１５４〜請求項１６５のいずれか１つに記載のクロージャー手段。
【請求項１６７】
前記少なくとも１つの第１部分（１８）と前記少なくとも１つの第２部分（１９）が互いに隣接していることを特徴とする、請求項１６６に記載のクロージャー手段。
【請求項１６８】
前記突出手段がフラップ手段（１１；２３；１００）を含んでいることを特徴とする、請求項１５４〜請求項１６７のいずれか１つに記載のクロージャー手段。
【請求項１６９】
前記フラップ手段が複数の異なるフラップを含んでいることを特徴とする、請求項１６８に記載のクロージャー手段。
【請求項１７０】
前記フラップ手段が連続するフラップを含んでいることを特徴とする、請求項１６８に記載のクロージャー手段。
【請求項１７１】
前記突出手段がフック手段（２６；３０）を含んでいることを特徴とする、請求項１５４〜請求項１６７のいずれか１つに記載のクロージャー手段。
【請求項１７２】
前記フック手段が、互いに異なる複数のフック要素を含んでいることを特徴とする、請求項１７１に記載のクロージャー手段。
【請求項１７３】
前記フック手段が連続するフック要素を含んでいることを特徴とする、請求項１７１に記載のクロージャー手段。
【請求項１７４】
ねじ手段（１３８）と停止手段（６００）を含む開封表示手段（４０１）とを備えるキャップ手段（１３５）を含み、前記クロージャー手段がさらなるねじ手段（３）を備える容器の首部手段（１）をさらに含んでいて、前記停止手段（６００）が前記ねじ手段（１３８）のらせん手段に沿って提供され、前記首部手段（１）から突出する当接手段（７１）と相互作用することを特徴とする、クロージャー手段。
【請求項１７５】
前記停止手段（６００）が前記ねじ手段（１３８）において提供されることを特徴とする、請求項１７４に記載のクロージャー手段。
【請求項１７６】
前記ねじ手段（１３８）が、前記停止手段（６００）から分離されるねじ部分手段（４０４）を含み、前記停止手段（６００）と前記ねじ部分手段（４０４）が前記ねじ部分手段の同一らせんに沿って延在していることを特徴とする、請求項１７４または請求項１７５に記載のクロージャー手段。
【請求項１７７】
空隙手段（４０７）が、前記ねじ部分手段（４０４）と前記停止手段（６００）の間に介装されていることを特徴とする、請求項１７６に記載のクロージャー手段。
【請求項１７８】
前記開封表示手段（４０１）と前記キャップ手段（１３５）の基体（４０６）の間に介装される分離用ライン手段（４０２）が、前記分離用ライン手段（４０２）を基準として反対側に配置される前記空隙手段（４０７）、前記停止手段（６００）、および前記ねじ部分手段（４０４）を横断することを特徴とする、請求項１７７に記載のクロージャー手段。
【請求項１７９】
前記ねじ部分手段（４０４）が、前記基体（４０６）に伸展していることを特徴とする、請求項１７８に記載のクロージャー手段。
【請求項１８０】
前記停止手段（６００）が、前記当接手段（７１）と相互作用するために配置されるコントラスト表面手段（４０８）を含んでいることを特徴とする、請求項１７６〜請求項１７９のいずれか１つに記載のクロージャー手段。
【請求項１８１】
前記コントラスト表面手段（４０８）が、前記キャップ手段（１３５）を前記首部手段（１）から離れさせる方向に沿って、意図された開封方向に対し横方向に配置されることを特徴とする、請求項１８０に記載のクロージャー手段。
【請求項１８２】
前記停止手段が、互いに異なる複数の停止要素（６００）を含んでいることを特徴とする、請求項１７６〜請求項１８１のいずれか１つに記載のクロージャー手段。
【請求項１８３】
前記コントラスト表面手段（４０８）が互いに異なる複数のコントラスト表面（４０８ａ、４０８ｂ、４０８ｃ）を含み、前記複数の停止要素の各停止要素（６００）が前記複数のコントラスト表面の対応するコントラスト表面（４０８ａ、４０８ｂ、４０８ｃ）を含んでいることを特徴とする、請求項１８２（請求項１８０または請求項１８１に付記される）に記載のクロージャー手段。
【請求項１８４】
前記停止手段（６００）が、前記ねじ手段（１３８）のさらなるねじ部分手段（４０５）を含んでいることを特徴とする、請求項１７６〜請求項１８３のいずれか１つに記載のクロージャー手段。
【請求項１８５】
前記ねじ手段（１３８）が互いに異なる複数のねじを含み、前記さらなるねじ部分手段（４０５）が互いに異なる複数のねじ端部（４０５ａ、４０５ｂ、４０５ｃ）を含み、前記複数のねじの各ねじが前記複数のねじ端部の対応するねじ端部（４０５ａ、４０５ｂ、４０５ｃ）を含んでいることを特徴とする、請求項１８４に記載のクロージャー手段。
【請求項１８６】
前記停止手段がフラップ手段を含んでいることを特徴とする、請求項１７６〜請求項１８３のいずれか１つに記載のクロージャー手段。
【請求項１８７】
前記フラップ手段が、前記キャップ手段（１３５）が回りながら前記首部手段（１）にはめられる際に、前記らせん手段の連続する２つのらせんの間で受けられるような寸法を有していることを特徴とする、請求項１８６に記載のクロージャー手段。
【請求項１８８】
前記停止手段がフック手段を含んでいることを特徴とする、請求項１７６〜請求項１８３のいずれか１つに記載のクロージャー手段。
【請求項１８９】
前記フック手段が、前記キャップ手段（１３５）が回りながら前記首部手段（１）にはめられる際に、前記らせん手段の連続する２つのらせんの間で受けられるような寸法を有していることを特徴とする、請求項１８８に記載のクロージャー手段。
【請求項１９０】
前記当接手段（７１）が前記首部手段（１）から円周方向に延在していることを特徴とする、請求項１７４〜請求項１８９のいずれか１つに記載のクロージャー手段。
【請求項１９１】
前記当接手段（７１）が、前記さらなるねじ手段（３）より前記首部手段（１）の開口部（５）から遠いことを特徴とする、請求項１７４〜請求項１９０のいずれか１つに記載のクロージャー手段。
【請求項１９２】
前記当接手段（７１）が、前記開口部（５）を基準として反対側の前記ねじ手段（３）から延在していることを特徴とする、請求項１９１に記載のクロージャー手段。
【請求項１９３】
前記当接手段（７１）が、前記コントラスト表面手段（４０８）と相互作用するために配置される作用表面手段（７２）を含んでいることを特徴とする、請求項１８０または請求項１８１、あるいは請求項１８２〜請求項１９２のいずれか１つ（請求項１８０または請求項１８１に付記される）に記載のクロージャー手段。
【請求項１９４】
前記作用表面手段（７２）と前記コントラスト表面手段（４０８）が前記キャップ手段（１３５）を前記首部手段（１）から離れさせる際に、前記開封表示手段（４０１）のブリッジ要素（４０３）の破壊を促進する剪断応力を生じさせるように形設されることを特徴とする、請求項１９３に記載のクロージャー手段。
【請求項１９５】
前記第１さらなるコントラスト手段（７１）が、前記作用表面手段（７２）を基準として横方向に配置されるさらなる作用表面手段（８２）を含んでいることを特徴とする、請求項１９３または請求項１９４に記載の容器手段。
【請求項１９６】
前記さらなる作用表面手段（８２）が前記キャップ手段（１３５）を前記首部手段（１）から離れさせる際に、前記開封表示手段（４０１）のブリッジ要素（４０３）の破壊を促進する牽引応力を生じさせるように形設されることを特徴とする、請求項１９５に記載のクロージャー手段。
【請求項１９７】
前記さらなるねじ手段（３）が、前記キャップ手段（１３５）を前記首部手段（１）から離れさせる方向に沿って、意図された開封方向（Ｈ）に対し横方向に配置される表面手段（７；３１）を備える端部（６；６ａ）を含んでいることを特徴とする、請求項１７４〜請求項１９６のいずれか１つに記載のクロージャー手段。
【請求項１９８】
前記作用表面手段（７２）と前記面手段（７；３１）が、事実上、同一表面上にあることを特徴とする、請求項１９７（請求項１９３〜請求項１９６のいずれか１つに付記される）に記載のクロージャー手段。
【請求項１９９】
前記当接手段が、互いに異なる複数の当接要素（７１）を含んでいることを特徴とする、請求項１７４〜請求項１９８のいずれか１つに記載のクロージャー手段。
【請求項２００】
前記作用表面手段が互いに異なる複数の作用表面（７２）を有し、前記複数の当接要素の各当接要素（７１）が前記複数の作用表面の対応する作用表面（７２）を含んでいることを特徴とする、請求項１９９（請求項１９３〜請求項１９６のいずれか１つに付記される）、あるいは請求項１９７（請求項１９３〜請求項１９６のいずれか１つに付記される）、あるいは請求項１９８に記載のクロージャー手段。
【請求項２０１】
前記さらなる作用表面手段が互いに異なる複数のさらなる作用表面（８２）を含み、前記複数の当接要素の各当接要素（７１）が前記複数のさらなる作用表面の対応するさらなる作用表面（８２）を含んでいることを特徴とする、請求項１９９または請求項２００（請求項１９９は請求項１９５または請求項１９６に付記される）、あるいは請求項１９７または請求項１９８（請求項１９５または請求項１９６に付記される）に記載のクロージャー手段。
【請求項２０２】
前記当接要素（７１）が、事実上、同一平面上に位置することを特徴とする、請求項１９９〜請求項２０１のいずれか１つに記載のクロージャー手段。
【請求項２０３】
前記さらなるねじ手段（３）が複数のさらなるねじを含み、前記複数の当接要素の各当接要素（７１）が前記複数のさらなるねじの対応するさらなるねじと関連があることを特徴とする、請求項１９９〜請求項２０２のいずれか１つに記載のクロージャー手段。
【請求項２０４】
前記キャップ手段（９；２２；２５；３５）の本体（３７）から分離用ライン手段（４４；４９；５６）に沿って前述の開封表示手段（１１；２３；２６；３０；３９）を分離させるコントラスト手段として、前記キャップ手段が開封表示手段を備える、キャップ手段（９；２２；２５；３５）と関連付け得る容器の首部（１）のねじ手段（３）の使用。
【請求項２０５】
容器の首部（１）と関連付け得ることが可能であり、前記キャップ手段（１３５）の本体（４０６）から分離用ライン手段（４０２）に沿って前記開封表示手段（４０１）を分離させるコントラスト手段として開封表示手段（４０１）を備える、ねじ手段（１３８）の使用。
【発明の詳細な説明】
【技術分野】
【０００１】
本発明は、容器の首部手段と、前述の首部手段と相互作用するために配置される開封表示手段を備えるキャップ手段とを含むクロージャー手段に関する。
【背景技術】
【０００２】
キャップを受けるために配置され、外的にねじ加工が設けられた側壁によって区切られる口を備える首部を含む容器は周知である。環状凸部が側壁から突出し、その環状凸部は首部に対し円周方向に延在し、ねじ加工に対し容器開口部からより遠くに配置される。
【０００３】
キャップは、底壁と連係してキャップの基体を定義する第１部分と、容器に包装された生成物の完全性を使用者に知らせるのに適する開封表示デバイスを含む第２部分とを含む円柱状スカートを備える。開封表示デバイスは、上述の凸部と相互作用する不正開封防止用リングを備える。
【０００４】
第１部分と第２部分は脆弱部、つまり複数の切れ目あるいは開口部により構成される、円柱状スカートを通過する分離用ラインによって分離され、第１部分と第２部分の間に延在するブリッジ要素によって区切られる。ブリッジ要素は容器の一次開封時の破断に適している。
【０００５】
不正開封防止用リングの端部から複数のフラップが出ていて、そのフラップは使用時にはキャップ内部で底壁に面して配置される。
【０００６】
初めて容器が開封されるときに、フラップが凸部と相互作用して不正開封防止用リングが容器の首部から脱離するのを防止し、ブリッジ要素の破壊を促進する。
【発明の開示】
【発明が解決しようとする課題】
【０００７】
既知の首部の欠点は、長さ等、軸方向の寸法が極めて長いため、これらの首部を製造するのに相当量の材料（プラスチック等）が必要とされることである。
【０００８】
既知の首部のさらなる欠点は、首部が相当量のプラスチック材料から形成されるため、成形サイクルが長いことである。
【０００９】
さらなる欠点は、首部を形成するために複雑かつ高価な鋳型が必要とされることである。
【００１０】
上述の首部は高さが高いため、関連するキャップも適切な軸方向の広がりを有する。
【００１１】
その結果として、キャップの製造も大量のプラスチック材料の使用と極めて長い成形サイクルを必要とする。
【００１２】
さらに、キャップを形成するのにも複雑かつ高価な鋳型が必要とされる。
【００１３】
本発明の目的は、容器の首部を改善することである。
【００１４】
さらなる目的は、容器の首部と関連付け得るキャップを改善することである。
【００１５】
さらなる目的は、関連付け得る開封表示手段を備えるキャップを有する容器の首部を得ることであり、そのキャップは高さが限定されていて、製造するのに必要とされるプラスチック材料が少量なキャップである。
【００１６】
さらなる目的は、製造が容易であり、必要とされる成形回数が中程度である容器の首部を得ることである。
【００１７】
本発明のさらなる目的は、キャップに軸方向の広がりが含まれる開封表示手段を備えるキャップを得ることと、その製造に必要とされるプラスチック材料が少量であることである。
【００１８】
本発明のさらなる目的は、製造が容易であり、成形回数が少ないキャップを得ることである。
【００１９】
本特許出願において、「らせん手段」という用語は容器の首部のねじ加工（開始点が１つのみまたは複数）または容器の首部と関連付け得るキャップのいずれかを意味し、開始点が１つのねじの場合、前述のねじ加工によって規定されるらせん路は１つであり、開始点が複数のねじの場合、前述のねじ加工によって規定されるらせん路は複数である。
【課題を解決するための手段】
【００２０】
本発明の第１の態様では、前述のコントラスト手段が前述のねじ手段のらせん手段に沿って提供されることを特徴とする、キャップ手段をねじ込み可能なねじ手段を備える首部手段と、前述のキャップ手段の開封表示手段との相互作用に適するコントラスト手段とを含む容器手段が提供される。
【００２１】
本発明の第２の態様では、容器の首部手段のさらなるねじ手段との相互作用に適するねじ手段と、停止手段を備える開封表示手段とを含む当該キャップ手段が提供され、当該停止手段が前述のねじ手段のらせん手段に沿って提供されることを特徴とする。
【００２２】
本発明の第３の態様では、開封表示手段を備えるキャップ手段とねじ手段を備える容器の首部手段とを含む当該クロージャー手段が提供され、当該開封表示手段と相互作用する当該ねじ手段のらせん手段に沿って前述のコントラスト手段が配置されることを特徴とする。
【００２３】
本発明の第４の態様では、ねじ手段と停止手段を含む開封表示手段とを備えるキャップ手段を含む当該クロージャー手段が提供され、当該クロージャー手段はさらなるねじ手段を備える容器の首部手段をさらに含んでいて、当該停止手段が当該ねじ手段のらせん手段に沿って提供され、当該首部手段から突出する当接手段と相互作用することを特徴とする。
【００２４】
本発明の第５の態様では、キャップ手段が関連付け得る容器の首部のねじ手段が使用され、当該キャップ手段は、当該キャップ手段の本体から分離用ライン手段に沿って当該開封表示手段を分離させるコントラスト手段として開封表示手段を備える。
【００２５】
本発明の第６の態様では、容器の首部と関連付け得るキャップ手段のねじ手段が使用され、前述のキャップ手段の本体から分離用ライン手段に沿って前述の開封表示手段を分離させるコントラスト手段として開封表示手段を備える。
【００２６】
本発明のこれらの態様により、高さを低減させ、短期間の成形サイクルで得られる首部手段を備える容器手段が得られる。既知の首部を得るのに必要とされる量より少ない量のプラスチック材料を用いて首部手段を製造することがさらに可能である。
【００２７】
本発明により、軸方向の寸法が制限され、既知のキャップより少ない量のプラスチック材料から形成される開封表示手段を備えるキャップ手段を得ることがさらに可能である。
【００２８】
本発明に記載のキャップ手段は、容易かつ極めて短い成形サイクルによっても得られる。
【発明を実施するための最良の形態】
【００２９】
図１〜図１３は、縦軸Ａを有し、ねじ加工３が横方向に突出する口壁２を含む容器の首部１を示す。ねじ加工３は容器の開口部５により近い始発部分４と、上述の開口部５からより遠い終点部分６を含む。始発部分４と終点部分６は、ねじ加工３によって規定されるらせん路の反対端に配置される。終点部分６は、口壁２の外面８に対し横方向に配置される第１当接面７を含む。具体的には図２に示されるとおり、第１当接面７は縦軸Ａを通過する平面上に位置し、事実上、外面８に対し垂直となり得る。代替方法として、第１当接面７は縦軸Ａに対し斜面上に位置してもよい。具体的には、第１当接面７は斜面、あるいはフラップ手段またはフック手段と相互作用し、不正開封防止用バンドを本体から離れさせる、キャップの不正開封防止用バンドのカムプロファイル（キャップ本体が本体１から取り外される場合）を規定するように形設され得る。このようにして、本体と不正開封防止用バンドは互いに離れる。これにより、不正開封防止用バンドを本体に接続させる破壊しやすいブリッジ要素がより速やかに破断されるようになり、容器が開封された強力な証拠が得られる。
【００３０】
終点部分６は、第１当接面７に対し横方向に配置され、開口部５の反対側に面する第２当接面２０を含む。第２当接面２０は、ねじ加工３の下側で得られる。
【００３１】
図３は、基体１０を含み、側壁１３が横方向に突出する底壁１２を備えるキャップ９を示す。さらなるねじ加工１４はキャップ９内部で得られ、そのねじ加工１４は側壁１３から突出していて、ねじ加工３との連係に適する。キャップ９は、側壁１３の下縁と関連のある第１開封表示デバイス１１と、不正開封防止用リング１５を備える。分離用ラインは第１開封表示デバイス１１と基体１０の間に介装され、その分離用ラインは複数の切れ目あるいは開口部により構成されており、その間のブリッジ要素２１は側壁１３と不正開封防止用リング１５の間に延在し、容器の一次開封時の破断に適している。フラップ手段１７は不正開封防止用リング１５の下縁１６に提供され、そのフラップ手段１７は第１当接面７および／または第２当接面２０と相互作用し、ブリッジ要素２１の破壊を促進する。
【００３２】
図８で図示されるとおり、フラップ手段１７は第１当接面７と相互作用するように配置される面１０１を備える複数のフラップ１００を含み得る。代替方法として、図３および図９に示されるとおり、フラップ手段１７は隣接し、不正開封防止用リング１５の辺縁に沿って配置される第１部分１８と第２部分１９とを含み得る。第１部分１８の下縁１６に対し横方向に測定した寸法は、下縁１６に対し横方向に測定した対応する第２部分１９のさらなる寸法よりも大きい。
【００３３】
１つのバージョン（図なし）では、第１部分１８は第２部分１９に隣接せず、離れていてもよい。
【００３４】
初めて容器が開封されるときに、第１部分１８の１つの面１０１は第１当接面７と相互作用し、第２部分１９の１つのさらなる面３０１は第２当接面２０と相互作用する。第１当接面７は、キャップ９を首部１から離れさせる方向に沿って、意図された開封方向に対し横方向に配置される。
【００３５】
下縁１６に対し横方向に測定したさらなる寸法を有するさらなる第１部分３３を含むフラップ手段１７が提供され、その寸法は第１部分１８の横方向の寸法よりも大きく、図１０および図１１で示されるとおり、終点部分６の上に配置されるねじ加工３の中間部分３４のさらなる面３０２でゾーン１２０（第３当接面を規定する）と相互作用し得る。このようにして、中間部分３４とさらなる第１部分３３の間の相互作用は軸方向における不正開封防止用リングのロックに貢献し、容器の一次開封時にはそのリングを確実に基体１０から分離させる。
【００３６】
同様に、フラップ１００はさらなる面３０１とさらなる面３０２も含んでもよい。フラップ手段は、下縁１６全体に延在するフラップ等、連続的なフラップを含んでもよい。
【００３７】
代替方法として、第１部分１８および／または第２部分１９によって占有されないゾーン等、中断ゾーンを明確にするため、フラップ手段１７を下縁全体には延在させず、一部のみに延在させることが可能である。例えば、フラップ手段は調節可能な高さのフラップ要素を含み、各要素は首部１にねじ込まれるキャップ９に沿った回転方向に、第１部分１８の前、あるいは変形体においては第１部分１８の後ろに少なくとも１つの第２部分を含み、第２部分１９と第１部分１８は相互に連結され得る。
【００３８】
代替方法として、各フラップ要素は第１部分１８と一対の第２部分１９とを含み、第１部分１８が第２部分１９の間に介装され得る。初めて容器が開封されるときに、キャップ９が回転方向Ｈに回転し、首部１から離れる。
【００３９】
回転時、第１当接面７は第１部分１８を補助的に受けることによって、不正開封防止用リング１５が基体１０と一緒に回転するのを防止する。このようにして、基体１０と第１開封表示デバイス１１の間に相対的回転が生じ、そのことがブリッジ要素２１上に剪断応力を生じさせる。さらに、キャップ９が離れるときに、基体１０が終点部分６から離れ、縦軸Ａと平行に移動する。第２当接面２０は、第２部分１９とその結果として不正開封防止用リング１５とが縦軸Ａと平行に移動するのを防止する。そのことが急激かつ効果的にブリッジ要素２１を破断する牽引応力と上述の剪断応力を生じさせるため、不正開封防止用リング１５が側壁１３から分離される。
【００４０】
上述のとおり、キャップは首部１と関連し得るものであり、そのキャップは第１部分１８（図９）で図示されるように）のみまたはさらなる第１部分３３（図１０で図示されるように）のみを含む（第２部分１９は含まず）フラップ１００を備える開封表示デバイスを有する。この場合、容器の一次開封時に第１部分１８またはさらなる第１部分３３が第１当接面７と相互作用し、基体１０と一緒に回転しないようにロックされる。このようにして、剪断応力が生じてブリッジ要素２１を破断し、第１開封表示デバイス１１を基体１０から分離させる。
【００４１】
図４は、事実上、同じようにキャップ９に適合され、第２開封表示デバイス２３を備えるさらなるキャップ２２と連係する首部１を示す。第２開封表示デバイス２３は、さらなるフラップ手段２４（第１部分１８なし）を備え、使用時に第２当接面２０と相互作用する第２部分１９のみを含むため、第１開封表示デバイス１１とは異なっている。この場合、容器の一次開封時に第２部分１９は縦軸Ａと平行方向に沿ってロックされる。このようにして、ブリッジ要素２１を破断する牽引応力を生じさせ、第２開封表示デバイス２３を基体１０から分離させる。
【００４２】
代替方法として、さらなるフラップ手段２４は連続的なフラップを含み得る。
【００４３】
図５は、さらなるキャップ２５が関連する首部１を示す。さらなるキャップ２５は、フック手段２８が円周方向に突出するさらなる不正開封防止用リング２７を含む第３開封表示デバイスを備え、フック部分２８は縦軸Ａに面し、第１当接面７と連係するように適合される。
【００４４】
容器の一次開封時に第１当接面７がフック部分２８と相互作用して、不正開封防止用リング２７が回転し、一般的には切削応力によってブリッジ要素２１が破壊されるのを防止する。
【００４５】
フック部分２８は図８、図９、図１０、および図１１で示されるバージョンに則って構成される。
【００４６】
図６は、さらなるフック部分２９が円周方向に突出するさらなる不正開封防止用リング１０２を含む第４開封表示デバイス３０を例示し、さらなるフック部分２９は第２当接面２０と連係するように構成される。
【００４７】
容器の一次開封時に、第２当接面２０は不正開封防止用リング２７が縦軸Ａと平行に移動し、一般的には牽引応力によってブリッジ要素２１が破壊されるのを防止するさらなるフック部分２９と相互作用する。
【００４８】
図１〜図６に示されるとおり、首部１は複数の開始点を有するねじ加工を含むため、複数の始発部分と複数の終点部分を備える。複数の終点部分は、キャップ９の場合は第１開封表示デバイス１１を、さらなるキャップ２２の場合は第２開封表示デバイス２３を、さらなるキャップ２５の場合は第３開封表示デバイス２６と第４開封表示デバイス３０を、より効果的に（終点部分が１個の場合）ロックするように作用する。具体的には、各終点部分は対応する第１部分１８または対応するフック部分２８と相互作用する第１当接面７を含む。
【００４９】
同様に、各終点部分は対応する第２部分１９または対応するさらなるフック部分２９と相互作用する第２当接面２０を含む。このようにして、容器の一次開封時に第１開封表示デバイス１１または第２開封表示デバイス２３または第３開封表示デバイス２６または第４開封表示デバイス３０は複数の周辺部で対比させられ、効果的かつ急激に基体１０から分離され得る。
【００５０】
図７は、ねじ加工３が断面を含む首部１の１つのバージョンを示し、その断面の延在は開口部５から離れるにつれて増大する。ねじ加工３は終点部分６よりも寸法が大きいさらなる終点部分６ａを含み、さらなるねじ加工３の残存部分に対し口壁２から突出する。さらなる終点部分６ａは第１当接面７より大きなさらなる第１当接面３１と、第２当接面２０より大きなさらなる第２当接面３２とを含むため、開封表示デバイスとの対比がより効率的になる。
【００５１】
さらなるバージョン（図なし）では、首部１は１つ以上の始発点を有するねじ加工を含み得るため、複数の始発部分および複数のさらなる終点部分６ａを備えており、図１〜図６を参照しながら上述した内容とほぼ同じである。
【００５２】
図２７〜図３０を参照すると、首部１は、ねじ加工３より開口部から遠くに配置され、首部１から円周方向に延在する当接手段７０を含む。当接手段７０は、第１当接面７と第２当接面２０またはさらなる第２当接面３１とさらなる第２当接面３２へ追加される、あるいはこれらの代替とされる。
【００５３】
当接手段７０は、首部１と関連のあるキャップの開封表示デバイスとの相互作用のために配置される作用表面７２を備えた少なくとも１つの当接要素７１を含む。
【００５４】
具体的には、作用表面７２は、開封表示デバイスと関連のある破壊しやすいブリッジ要素上に剪断応力を生じさせるようにして形設されている。
【００５５】
作用表面７２は、前述のキャップを首部１から離れさせる方向に沿って、意図された開封方向に対し横方向に配置される。
【００５６】
作用表面７２は、口壁２の外面８に対し横方向に配置される。具体的には図２７に示されるとおり、作用表面７２は縦軸Ａを通過する平面上に位置し、事実上、外面８に対し垂直となり得る。代替方法として、作用表面７２は縦軸Ａに対し斜面上に位置してもよい。
【００５７】
具体的には、作用表面７２は斜面、あるいはフラップ手段またはフック手段と相互作用し、開封表示デバイスを前述の本体から離れさせる、開封表示デバイスのカムプロファイル（キャップ本体が首部１の本体から取り外される場合）を規定するように形設され得る。このようにして、本体と開封表示デバイスは互いに離れ、反対方向に移動する。これにより、開封表示デバイスを本体に接続させる破壊しやすいブリッジ要素がより速やかに破断されるようになり、容器が開封された強力な証拠が得られる。
【００５８】
当接要素７１は、さらなる作用面８２をさらに含んでもよい。
【００５９】
さらなる作用面８２は、前述の開封表示デバイスとの相互作用のために配置される。
【００６０】
さらなる作用面８２は、破壊しやすいブリッジ要素上にさらなる応力、具体的には牽引応力（作用表面７２により生じた応力に追加的または代替的に）を生じさせるように形設される。
【００６１】
さらなる作用面８２は、事実上、開口部５により規定される平面と平行に配置され得る。
【００６２】
当接手段７０は、ねじ加工３のねじの数と同数の当接要素７１を含んでもよい。
【００６３】
例えば、ねじ加工３は３つのねじ（第１ねじ３ａ、第２ねじ３ｂ、および第３ねじ３ｃ等）を含み得る。この場合、当接手段７０は、第１ねじ３ａに関連する第１当接要素７１ａと、第２ねじ３ｂに関連する第２当接要素７１ｂと、第３ねじ３ｃに関連する第３当接要素（図２７〜図３０で例示せず）とを含む。
【００６４】
代替方法として、ねじ加工３は１個のねじを含み得るため、当接手段７０は１個の当接要素７１を含み得る。
【００６５】
代替方法として、ねじ加工３はさまざまな数のねじを含み得る。
【００６６】
当接要素７１の作用表面７２と対応するねじの第１面７は、同一表面上にあってもよい。
【００６７】
１つのバージョンでは、開封表示デバイスのフラップまたはフックは、作用表面７２および第１面７と同時に相互作用する。この場合、作用表面７２は、第１面７によって生じる作用に付加される相対立する作用を生じさせる。
【００６８】
さらなるバージョンでは、開封表示デバイスのフラップまたはフックは、作用表面７２のみと相互作用する。図２４〜図２６を参照しながらより詳述されるさらなるバージョンでは、開封表示デバイスに提供されるキャップのねじ加工部分が作用表面７２と相互作用し、キャップが備える破壊しやすいブリッジ要素の破壊を促進する。
【００６９】
開口部５により近い部分７３を備える当接要素７１は、ねじ加工と接触している。代替方法として、１つのバージョン（図なし）では、当該部分７３とねじ加工３の間に隙間があり、その場合、当接要素７１はねじ加工３から分離される。
【００７０】
当接手段７０は、当接体７４をさらに含んでもよい。
【００７１】
図２８を参照すると、首部１の第１バージョンが示されており、そこでは当接手段７０は複数の当接体７４ａを含む。
【００７２】
具体的には、ねじ加工３は３つのねじを含んでおり、当接手段７０は３つの当接要素７１と、当接要素７１から分離される３つの当接体７４ａとを含む。
【００７３】
当接手段７０は、当接体７４ａが連続する２つの当接要素７１の間にあり、なおかつ、当接要素７１が連続する２つの当接体７４ａの間にあるようにして形設される。言い換えると、当接要素７１と当接体７４ａは、首部１の辺縁に沿って交互に並んでいる。
【００７４】
当接要素７１と当接体７４ａは、事実上、同じ平面上に配置されており、縦軸Ａに対し横方向（具体的には、事実上、垂直に）に延在している。
【００７５】
当接体７４ａは作用面７５を含む。作用面７５は、上述の開封表示デバイスと相互作用するように形設される。
【００７６】
具体的には、作用面７５は、破壊しやすいブリッジ要素上に剪断応力を生じさせるように配置される。作用面７５は、キャップを首部１から離れさせる方向に沿って、意図された開封方向に対し横方向に配置される。
【００７７】
作用面７５は、口壁２の外面８に対し横方向に配置される。
【００７８】
具体的には図２８に示されるとおり、作用面７５は縦軸Ａを通過する平面上に位置し、事実上、外面８に対し垂直となり得る。代替方法として、作用面７５は縦軸Ａに対し斜面上に位置してもよい。
【００７９】
具体的には、作用面７５は斜面、あるいはフラップ手段またはフック手段と相互作用し、開封表示デバイスを本体から離れさせる、開封表示デバイスのカムプロファイル（キャップ本体が首部１の本体から取り外される場合）を規定するような方法で形設され得る。このようにして、本体と開封表示デバイスは互いに離れ、反対方向に移動する。これにより、開封表示デバイスを本体に接続させる破壊しやすいブリッジ要素がより速やかに破壊されるようになり、容器が本当に開封されたというより明確な証拠が得られる。
【００８０】
当接体７４ａは、さらなる作用面７６をさらに含み得る。
【００８１】
さらなる作用面７６は、前述の開封表示デバイスと相互作用しやすい。
【００８２】
図１〜図１１を参照すると、具体的には第１作用面７６は、例えば上述の方法で開封表示デバイスのフラップ要素またはフック要素と相互作用し、破壊しやすいブリッジ要素上に牽引応力を生じさせるように形設される。さらなる作用面７６は、事実上、開口部５により規定される平面と平行に配置され得る。
【００８３】
図２９を参照すると、首部１の第２バージョンが示されており、そこでは当接手段７０は複数の当接体７４ｂを含む。
【００８４】
第２バージョンは、事実上、図２８を参照して説明した第１バージョンと一致しており、当接体７４ｂが当接要素７１から分離される点で第１バージョンと異なっている。
【００８５】
各当接要素７４ｂは、対応する当接要素７１に接続される１つの端部７８を含む。
【００８６】
具体的には、端部７８は作用表面７２から延在している。
【００８７】
図３０を参照すると、首部１の第３バージョンが示されており、そこでは当接手段７０は１個の当接体７４ｃを含む。
【００８８】
第３バージョンは、事実上、図２９を参照して説明した第２バージョンと一致しており、複数の当接体７４ｂの代わりに１個の当接体７４ｃが含まれており、その当接体７４ｃは環状であり、凸部として外面８から延在している。
【００８９】
当接体７４ｃは３つの当接部７７を含み、それぞれ一対の隣接する当接要素７１の間に介装されている。
【００９０】
各当接部７７は、対応する当接要素７１に接続されるさらなる端部７９を含む。具体的には、さらなる端部７９は作用表面７２から延在している。
【００９１】
当接体７４ｃは作用面７５ではなく、さらなる作用面７６を備える。
【００９２】
図２８〜図３０のバージョンを参照すると、開封表示デバイスのフラップまたはフックは作用面７５および／またはさらなる作用面７６と相互作用し得るものであり、開封表示デバイスのさらなるフラップまたはフックは作用表面７２および／または第１面７と相互作用する。この場合、作用面７５および／またはさらなる作用面７６は、作用表面７２および／または第１面７によって生じる作用に付加される相対立する作用を発揮する。
【００９３】
当接体７４は著明に大きな表面―特にさらなる作用表面８２を備え、そこでは輸送デバイスが容器または予備成形物と相互作用できるため、容器または容器の予備成形物を輸送するための参照要素および／または当接要素および／またはガイド要素として機能することができる。
【００９４】
具体的には、当接体７４のおかげで容器または予備成形物は、首部が当接要素７１のみを含む場合よりも効率的に輸送され得る。
【００９５】
図２１〜図２３を参照すると、首部１は当接手段７０を含む。
【００９６】
当接手段７０と終点部分６またはさらなる終点部分６ａは、事実上、同じ表面上に配置されており、縦軸Ａに対し横方向（具体的には、事実上、垂直に）に延在している。
【００９７】
１つのバージョンでは、当接手段７０と終点部分６は交互に並んでいて、各終点部分６は連続する２つの当接手段の間に介装されている。
【００９８】
当接手段は、首部と関連のある開封表示デバイスに相対立する作用を生じさせる。この相対立する作用は第１面７および／または第２面２０の作用に付加されるため、ブリッジ要素２１がより容易に、かつ、より速やかに破壊され得る。
【００９９】
当接手段７０は、首部１と関連のある開封表示デバイスと相互作用するために配置される少なくとも１つの当接体８４を含む。
【０１００】
当接手段７０は、ねじ加工３のねじの数と同数の当接体８４を含み得る。
【０１０１】
例えば、ねじ加工３は３つのねじ、つまり第１ねじ３ａ、第２ねじ３ｂ、および第３ねじ３ｃを含み得るため、当接手段７０は第１当接体、第２当接体、および第３当接体を含み得る。
【０１０２】
代替方法として、ねじ加工３は１個のねじを含み得るため、当接手段７０は１個の当接体を含み得る。
【０１０３】
代替方法として、ねじ加工３はさまざまな数のねじを含み得る。
【０１０４】
当接手段７０は、事実上、図２７〜図３０を参照して説明した当接体７４と同じように適合される当接体８４を含む。
【０１０５】
図２１を参照すると、首部１の第１バージョンが示されており、そこでは当接手段７０は複数の当接体８４ａを含む。
【０１０６】
具体的には、ねじ加工３は３つのねじを含んでおり、各ねじは終点部分６をそれぞれ備え、当接手段７０は３つのねじから分離される当接体８４ａを含む。
【０１０７】
当接手段７０は、当接体８４ａが連続する２つの終点部分の間に介装され、なおかつ終点部分６が連続する２つの当接体８４ａの間に介装されるように形設される。言い換えると、終点部分６と当接体８４ａは、首部１の辺縁に沿って交互に並んでいる。
【０１０８】
終点部分６と当接体８４ａは、事実上、同じ平面上に配置されており、縦軸Ａに対し横方向（具体的には、事実上、垂直に）に延在している。
【０１０９】
当接体８４ａは、作用面８５を含む。
【０１１０】
作用面８５は、首部１と関連のある開封表示デバイスと相互作用するように形設される。
【０１１１】
具体的には、作用面８５は開封表示デバイスの破壊しやすいブリッジ要素上に剪断応力を生じさせるために配置される。
【０１１２】
作用面８５は、キャップを首部１から離れさせる方向に沿って、意図された開封方向に対し横方向に配置される。
【０１１３】
作用面８５は、口壁２の外面８に対し横方向に配置される。
【０１１４】
具体的には図２１に示されるとおり、作用面８５は縦軸Ａを通過する平面上に位置し、事実上、外面８に対し垂直となり得る。代替方法として、作用面８５は縦軸Ａに対し斜面上に位置してもよい。
【０１１５】
具体的には、作用面８５は斜面、あるいはフラップ手段またはフック手段と相互作用し、開封表示デバイスを本体から離れさせる、開封表示デバイスのカムプロファイル（キャップ本体が首部１の本体から取り外される場合）を規定するような方法で形設され得る。このようにして、本体と開封表示デバイスは互いに離れ、反対方向に移動する。これにより、開封表示デバイスを本体に接続させる破壊しやすいブリッジ要素をより速やかに破壊し、容器が開封されたというより明確な証拠が得られる。
【０１１６】
当接体８４ａは、さらなる作用面８６をさらに含み得る。
【０１１７】
さらなる作用面８６は、開封表示デバイスと相互作用するために配置される。
【０１１８】
具体的にはさらなる作用面８６は、例えば図１〜図１１で参照した方法に従って開封表示デバイスのフラップ手段またはフック手段と相互作用し、破壊しやすいブリッジ要素上に牽引応力を生じさせるように形設される。さらなる作用面８６は、事実上、開口部５により規定される平面と平行に配置され得る。
【０１１９】
図２２を参照すると、首部１の第２バージョンが示されており、そこでは当接手段７０は複数の当接体８４ｂを含む。
【０１２０】
第２バージョンは、事実上、図２２を参照して説明した第１バージョンと一致しており、当接体８４ｂがねじの終点部分６から分離される点で第１バージョンと異なっている。
【０１２１】
各当接要素８４ｂは、実際に、対応する終点部分６に接続される端部８８を含む。
【０１２２】
具体的には、端部８８は第１面７から延在している。
【０１２３】
図２３を参照すると、首部１の第３バージョンが示されており、そこでは当接手段７０が当接体８４ｃを含む。
【０１２４】
第３バージョンは、事実上、図２２を参照して説明した第２バージョンと一致しており、複数の当接体８４ｂの代わりに単一の当接体８４ｃが含まれており、その当接体８４ｃは環状であり、凸部として外面８から延在している。
【０１２５】
当接体８４ｃは３つの当接部８７を含み、それぞれ一対の隣接する終点部分６の間に介装されている。
【０１２６】
各当接部８７は、対応する終点部分６に接続されるさらなる端部８９を含む。
【０１２７】
具体的には、さらなる端部８９は第１面７から延在している。
【０１２８】
当接体８４ｃは作用面８５ではなく、さらなる作用面８６を備える。
【０１２９】
開封表示デバイスのフラップまたはフックは作用面８５および／またはさらなる作用面８６と相互作用し得るものであり、開封表示デバイスのさらなるフラップまたはさらなるフックは第１面７および／または第２面２０と相互作用する。この場合、作用面８５および／またはさらなる作用面８６は、第１面７および／または第２面２０によって生じる作用に付加される相対立する作用を生じさせる。
【０１３０】
当接体８４は著明に大きな表面―特にさらなる作用面８６を備え、そこでは輸送デバイスが容器または予備成形物と相互作用できるため、容器または容器の予備成形物を輸送するための参照要素および／または当接要素および／またはガイド要素として機能することができる。
【０１３１】
１つのバージョン（図なし）では、口壁２にくぼみ（口壁２の厚み部分上に延在する）を得ることが可能であり、そのくぼみの表面は、第２当接面２０またはさらなる第２当接面３２の大きさをさらに増大させるようにして第２当接面２０またはさらなる当接面３２の一部を構成する。
【０１３２】
同様に、口壁２にさらなるくぼみ（口壁２の厚み部分上に延在する）を得ることが可能であり、そのくぼみの表面は、第１当接面７またはさらなる第１当接面３１の大きさをさらに増大させるような方法で第１当接面７またはさらなる当接面３１の一部を構成する。
【０１３３】
図１２は、不正開封防止用リングの突出要素２００（例えば、図３〜図１１を参照して示されるとおり形設されるフラップまたはフックを備え得る）を示し、その突出要素は、事実上、ねじ加工３と平行に配置される面２０１を備える。
【０１３４】
具体的には、面２０１は、事実上、第２当接面２０と平行しており、初めてキャップが首部１から離れるときに第２当接部２０と相互作用する。
【０１３５】
同様に、図９〜図１１を参照して説明したさらなる面３０１とさらなる面３０２は、事実上、それぞれ第２当接面２０および第３当接面１２０と平行に配置され得る。
【０１３６】
図１３を参照すると、突出要素２００の変形体が示されており、そこでは面２０１は、第２当接面２０が備えるさらなる把持促進手段２０３と連係するために配置される把持促進手段２００を備える。
【０１３７】
把持促進手段２０２は、波形ゾーンまたは歯状ゾーン２０４を含み得る。
【０１３８】
同様に、さらなる把持促進手段２０はさらなる波形ゾーンまたはさらなる歯状ゾーン２０５を含み、波系ゾーンまたは歯状ゾーン２０４と連係するように適合される。
【０１３９】
また、図９〜図１１を参照して説明したさらなる面３０１とさらなる面３０２は把持促進手段を含み得る。
【０１４０】
図１４〜図１８はさらなる底壁３６を含むキャップ手段３５を示し、底壁から円柱状スカートが横方向に突出する。ねじ手段３０はキャップ手段３５内部で円柱状スカート３７から突出しており、中断ゾーン５２を含む。容器への製品包装時に、中断ゾーン５２は、偶発的に容器の外に沈殿した、あるいは容器から出たかもしれない製品の一部をねじ手段３８から排出させることができる。
【０１４１】
中断ゾーン５２は、容器の一次開封時に製品中に溶けたガスの排出も促進する。
【０１４２】
ねじ手段３８は、キャップ手段３５と関連のあるボトルの以前の開封について使用者に知らせる役割を果たす開封表示手段３９を含む。
【０１４３】
開封表示手段３９は、さらなる底壁３６からもっとも遠いねじ手段３８のねじ端部４３上にロック部分４０を備える停止手段６００を含む。具体的には、ロック部分４０はねじ端部４３の端部ゾーン４１の近傍かつキャップ手段３５の末端４２からある程度離れて配置される。
【０１４４】
ロック部分４０は、ねじ端部４３に対し横方向に突出するように、ねじ手段３８よりも少量だけ、さらなる底壁３６に向って延在している。
【０１４５】
次にロック部分４０は、ねじ端部４３に対し、さらなる底壁３６にもっとも近いねじ手段３８のねじ中間部４６に向って延在している。
【０１４６】
図１４は、容器の一次開封時に円柱状スカート３７から分離される第１取り外し可能部分６２を規定する第１分離用ライン手段４４を含む開封表示手段３９の第１バージョンを示す。
【０１４７】
第１分離用ライン手段４４はロック部分４０を取り囲み、複数の切り口または切れ目を含んでいて、円柱状スカート３７を通過する。
【０１４８】
代替方法として、第１分離用ライン手段４４は、切り口および切れ目の代わりに脆弱ラインを含み得るものであり、その脆弱ラインに沿って円柱状スカート３７の厚みは薄くなる。
【０１４９】
第１分離用ライン手段４４は、ねじ端部３４に対し横方向に配置される第１分離用ライン４５を含み、またロック部分４０を基準として端部ゾーン４１の反対側に配置される。第１分離用ライン４５は、末端ゾーン４２からロック部分４０とねじ中間部４６の間に含まれるさらなるゾーンまで延在している。
【０１５０】
第１分離用ライン手段４４は、事実上、第１分離用ライン４５と平行しており、なおかつ、ロック部分４０を基準として第１分離用ラインの反対側に配置される第２分離用ライン４７をさらに含む。第２分離用ライン４７はロック部分４０に近接しており、ねじ端部４３を横断するように延在している。
【０１５１】
ねじ中間部４６とロック部分４０の間に第３分離用ライン４８があり、第１分離用ライン４５の端部１１４を第２分離用ライン４７のさらなる端部１１５に接続させる。
【０１５２】
図１５は、容器の一次開封時に円柱状スカート３７から分離される第２取り外し可能部分６３を規定する第２分離用ライン手段４９を含む開封表示手段３９の第２バージョンを示す。第２分離用ライン４９は、事実上、末端４２と平行して延在し、ねじ手段３８よりもさらなる底壁３６から遠くに配置される第４分離用ライン５０を含む。
【０１５３】
第４分離用ライン手段５０は、ねじ端部４３で中断される。
【０１５４】
第２分離用ライン手段４９は、事実上、下縁４２と平行しており、ねじ中間部４６とねじ端部４３の間に配置される第５分離用ライン５３を含む。第５分離用ライン５３はねじ端部よりも円周方向に大きく、ねじ端部から左右に延在している。中断ゾーン５２には、第５分離用ライン５３の第１端部１１０と第４分離用ライン５０の第１端部１１１を接続させるようにして、下縁４２に対し横方向に延在する第６分離用ライン５４が提供される。ロック部分４０を基準として中断ゾーン５２の反対側の円柱状スカート３７領域には、第５分離用ライン５３の第２端部１１２と第４分離用ライン５０のさらなる第２端部１１３を接続させるようにして、第７分離用ライン５５が下縁４２に対し横方向に延在している。
【０１５５】
図１６は、容器の一次開封時に円柱状スカート３７から分離される第３取り外し可能部分６４を規定する第３分離用ライン手段５６を含む開封表示手段３９の第３バージョンを示す。
【０１５６】
第３分離用ライン５６は、ねじ手段３８と平行して延在する第８分離用ライン５７を含む。具体的には、第８分離用ライン５７は第１ゾーン５９から延在し、ねじ中間部４６の下方かつさらなる中断ゾーン５８、第２ゾーン６０に近接して配置され、ねじ中間部４６の上方かつさらなる中断ゾーン５８に近接して配置され、事実上、円柱状スカート３７の外周全体に影響を及ぼす。
【０１５７】
言い換えると、第８分離用ライン５７はさらなる中断ゾーン５８において、ねじ中間部４６の上方に配置される第１端部１１６と、さらなる中断ゾーン５８において、ねじ中間部４６の下方に配置される第２端部１１７とを含む。
【０１５８】
第３分離用ライン５６は、さらなる中断ゾーン５８に沿って下縁４２に対し横方向に延在し、第８分離用ライン５７の第１端部１１６と第２端部１１７を接続させる第９分離用ライン６１を含む。
【０１５９】
代替方法として、第１分離用ライン手段４４、第２分離用ライン手段４９、および第３分離用ライン手段５６は少なくとも１つの非脆弱部を含んでいて、ロック部分４０を含み、不正開封防止用リングとして機能するキャップ手段３５の一部が、環境に捨てられるようにキャップ手段３５の残りの部分から完全に分離されることがないようにしてもよい。
【０１６０】
図１７は、容器上のねじり位置の中間点における首部１と連係するキャップ手段３５を示す。ロック部分４０は、キャップ手段３５が回りながら首部１にはめられる間に、ねじ手段３８の連続するらせんの間に介装される空隙１０３に沿って進められるような寸法を有する。具体的には、図１７はねじ手段３８の第１らせん６５とねじ手段３８の第２らせんの間に規定される空隙に配置されるロック部分４０を示す。
【０１６１】
図１８は、容器上のねじり位置の終点を示す。図１９で図示されるとおり、キャップ手段３５が回りながら首部１にはめられる際に、ねじ手段３８の下面６８がロック部分４０の上面６７と相互作用し、ロック部分４０を伸縮して変形させ、さらなる底壁３６から離れさせる。図２０で図示されるとおり、キャップ手段３５が回りながら完全に首部１にはめられる際に、ロック部分４０は上面６７が下面６８から切り離されるように配置される。次に、ロック部分４０は、ロック部分のロック表面６９が当接面７に面するように配置される。
【０１６２】
代替方法として、ロック部分４０は、キャップ手段３５が回りながら首部１にはめられる際に、上面６７がねじ３と相互作用しないように形設されてもよい。
【０１６３】
容器の一次開封時に当接面７は、容器上のねじり位置の終点にあるロック部分４０が開封方向Ｂに移動するのを防ぐ。剪断応力および牽引応力が生じ、第１分離用ライン手段４４または第２分離用ライン手段４９または第３分離用ライン手段５６に沿って作用し、円柱状スカート３７から第１取り外し可能部分６２または第２取り外し可能部分６３または第３取り外し可能部分６４のいずれかを分離させる。
【０１６４】
ロック表面６９は、円柱状スカート３７の壁５００に対し横方向に配置される。具体的には図１６に示されるとおり、ロック表面３９はキャップ手段３５の縦軸Ｗを通過する平面上に位置し、事実上、壁５００に対し垂直となり得る。代替方法として、ロック表面３９はさらなる縦軸Ｗに対し斜面上に位置してもよい。
【０１６５】
図２４〜図２６は、底壁１３６から横方向に突出する円柱状スカート１３７を含むキャップ手段１３５を示す。底壁１３６と円柱状スカート１３７は、ともにキャップ手段１３５の基体４０６を規定する。
【０１６６】
ねじ手段１３８は、キャップ手段１３５の内部で円柱状スカート１３７から突出している。
【０１６７】
キャップ手段１３５は、不正開封防止用バンド４０１を含む。分離用ライン４０２は不正開封防止用バンド４０１と円柱状スカート１３７の間に規定され、不正開封防止用バンド４０１と円柱状スカート１３７の間に延在する複数の破壊しやすいブリッジ要素４０３により区別される。代替方法として、分離用ラインは、不正開封防止用バンドおよび円柱状スカート１３７よりも厚みの薄い、連続性または断続性の脆弱部（貫通切断されていない等）またはプラスチック部により規定されてもよい。
【０１６８】
不正開封防止用バンド４０１は、初めてキャップ手段１３５が容器の首部から離れるときに、ブリッジ要素４０３を壊れやすくする停止手段６００を含む。
【０１６９】
停止手段は、ねじ手段１３８のらせん手段に沿って配置される。
【０１７０】
ねじ手段１３８は、互いに異なる第１ねじ部分手段４０４と第２ねじ部分手段４０５とを含み、空隙手段４０７は第１ねじ部分手段４０４と第２ねじ部分手段４０５の間に介装される。
【０１７１】
第１ねじ部分手段４０４と第２ねじ部分手段４０５は、ねじ手段１３８の同一のらせんに沿って延在している。
【０１７２】
第１ねじ部分手段４０４は、基体４０６、具体的には円柱状スカート１３７に延在している。
【０１７３】
第２ねじ部分手段４０５は、不正開封防止用バンド４０１に延在している。
【０１７４】
第１ねじ部分手段４０４と第２ねじ部分手段４０５は分離用ライン４０２の反対側に配置され、分離用ライン４０２は空隙手段４０７を横断する。
【０１７５】
第２ねじ部分手段４０５は、容器の首部と関連のある当接要素と相互作用するために配置されるコントラスト表面手段４０８を含み、初めてキャップ手段が容器の首部から離れる際に、ブリッジ要素４０３の破壊を促進する。
【０１７６】
図２４および図２５で示されるバージョンでは、停止手段６００は第２ねじ部分手段を含む。
【０１７７】
１つのバージョン（図なし）では、停止手段はコントラスト表面手段４０８を備えるフラップ手段またはフック手段を含み、ねじ手段１３８のらせん上に位置し、その上に第１ねじ手段４０４も位置する。
【０１７８】
有利には、フラップ手段またはフック手段は、キャップ手段が回りながら首部１にはめられる際に、ねじ手段１３８の連続する２つのらせんの間で受けられるような寸法を有する。
【０１７９】
図２６は、図２４および図２５で参照したタイプのキャップ手段１３５を、図２７〜図３０で示されるタイプの首部１と関連付け得る方法を示す。
【０１８０】
この場合、ねじ手段１３８は、第１さらなるねじ１３８ａと、第２さらなるねじ１３８ｂと、第３さらなるねじ（図２６では示さず）とを含み、これらはねじ加工３の第１ねじ３ａ、第２ねじｂ、および第３ねじ３ｃと連係する。第２ねじ部分手段４０５は、第１さらなるねじ１３８ａで得られる第１コントラスト部分４０５ａと、第２さらなるねじ１３８ｂで得られる第２コントラスト部分４０５ｂと、第３さらなるねじで得られる第３コントラスト部分（図２６では示さず）の３つのコントラスト部分を含む。
【０１８１】
代替方法として、ねじ手段１３８は３個以外の数のねじを含んでいてもよく、具体的にはねじ手段は１個のねじを含んでもよい。
【０１８２】
初めてキャップ手段１３５が回りながら首部１にはめられる際に、第２ねじ部分手段４０５はねじ手段の連続するらせんの間で受け取られ、回りながらねじ手段にはめられる。
【０１８３】
首部１は複数のコントラスト要素７１、具体的には第１コントラスト要素７１ａと、第２コントラスト要素７１ｂと、第３コントラスト要素（図２６では示さず）とを含む。
【０１８４】
キャップ手段１３５は、第１コントラスト手段４０５ａが第１コントラスト要素７１ａを越えて通過し、第２コントラスト部分４０５ｂが第２コントラスト要素７１ｂを越えて通過し、第３コントラスト部分が第３コントラスト要素を越えて通過するまで回転する。
【０１８５】
第２ねじ部分手段４０５がより容易に当接要素７１を通過できるように、当接要素は外面８と作用表面７２の間に延在する曲面４０９を備える。当接要素７１は、首部１に対し半径方向に測定される特定の寸法を有しており、その寸法はキャップ手段１３５が回りながら首部１にはめられる方向に進むにつれて増大する。
【０１８６】
初めてキャップ手段１３５を首部１から離れさせる際に、コントラスト表面手段４０８はコントラスト要素の作用表面７２と相互作用し、ブリッジ要素４０３を破壊させる剪断応力を生じさせる。
【０１８７】
図２６で示されるバージョンでは、コントラスト表面手段４０８と作用表面７２は、事実上、キャップ手段１３５が首部１から離れる意図された開封方向に対し垂直に配置される。
【０１８８】
１つのバージョン（図なし）では、図２７〜図３０を参照して説明したとおり、作用表面７２は意図された開封方向に対し斜めになっており、斜面またはカムプロファイルを規定し、ブリッジ要素４０３を破壊されやすくする。この場合、作用表面７２に応じてコントラスト表面手段４０８も意図された開封方向に対し斜めになっており、作用表面７２と連係する。
【０１８９】
具体的には、コントラスト表面手段４０８は、第１コントラスト部分４０５ａで得られ第１作用表面７２ａと相互作用する第１コントラスト表面４０８ａと、第２コントラスト部分４０５ｂで得られ第２作用表面７２ｂと相互作用する第２コントラスト表面４０８ｂと、第３コントラスト部分で得られ第３作用表面と相互作用する第３コントラスト表面（図２４および図２５では示さず）とを含む。
【０１９０】
第２ねじ部分手段４０５の代わりにフラップ手段またはフック手段を備える停止手段６００を含むキャップ手段は、第２ねじ部分手段４０５を参照しながら上述したような方法で首部１、具体的には当接要素７１と相互作用する。図３１は、図２６〜図３０で示される首部１の１つのバージョンを示す
【０１９１】
首部１は、事実上、１２０°の角度間隔で配置される第１当接要素７１ａと、第２当接要素７１ｂと、第３当接要素７１ｃとを含む。
【０１９２】
第１当接要素７１ａは、首部１に対し、事実上、半径方向に配置される作用表面７２ａを含む。
【０１９３】
第２当接要素７１ｂは第２作用表面７２ｂを含み、この第２作用表面は第２作用表面７２ｂが外面８と交差するＰ１の地点において、外面８に接する平面Ｘ１により鈍角α１を形成する。
【０１９４】
第３当接要素７１ｃは第３作用表面７２ｃを含み、この第３作用表面は第３作用表面７２ｃが外面８と交差するＰ２の地点において、外面８に接する平面Ｘ２により鋭角α２を形成する。
【０１９５】
図３１で示される首部１は、Ｆの方向に沿って互いに直線に近づき、また離れることができる一対の半成形品を用いて得ることができる。
【０１９６】
成形品が密閉成形形態である場合、第１作用表面７２ａを含む平面Ｚに沿って半成形品を相互に接触させ、事実上、Ｆの方向に対し垂直に配置する。
【０１９７】
第２作用表面７２ｂが角度α１で斜めになり、第３作用表面７２ｃが角度α２で斜めになっているため、首部１（具体的には第２当接要素７１ｂおよび第３当接要素７１ｃ）は半成形品がＦの方向に沿って移動するのを防止し、結果として首部１が成形品から抜けるのを防止するアンダーカットを含んでいない。
【図面の簡単な説明】
【０１９８】
本発明は非制限的実施例を用いて一部の実施形態を例示している、同封された図面を参照しながらよりよく理解し、実行することができる。
【図１】首部手段の側面図。
【図２】図１の首部手段の別の側面図
【図３】図１の首部手段と関連のある第１キャップ手段を示す部分的断面側面図
【図４】図１の首部手段と関連のある第２キャップ手段を示す、図３と同様の部分的断面側面図
【図５】図１の首部手段と関連のある第３キャップ手段を示す、図３と同様の部分的断面側面図
【図６】図１の首部手段と関連のある第３キャップ手段を示す、図３と同様の部分的断面側面図
【図７】首部手段のさらなるバージョンの側面図
【図８】キャップの第１ロック手段と連係する首部手段を図示する側面図
【図９】キャップ手段の第２ロック手段と連係する首部手段を図示する、図８と同様の側面図
【図１０】キャップ手段の第３ロック手段と連係する首部手段を図示する、図８と同様の側面図
【図１１】キャップ手段の第４ロック手段と連係する首部手段を図示する、図８と同様の側面図
【図１２】キャップ手段の第５ロック手段と連係する首部手段を図示する、図８と同様の側面図
【図１３】キャップ手段の第６ロック手段と連係する首部手段を図示する、図８と同様の側面図
【図１４】キャップ手段の第１バージョン斜視図
【図１５】キャップ手段の第２バージョン斜視図
【図１６】キャップ手段の第３バージョン斜視図
【図１７】図７の首部手段上のねじり位置の中間点において図１４〜図１６の１つのキャップ手段を示す部分軸方向断面図
【図１８】図７の首部手段上の最終ロック位置において図１４〜図１６の１つのキャップ手段を示す、図１７と同様の部分軸方向断面図
【図１９】首部手段上のねじり形態の中間において首部手段のコントラスト手段と連係するロック手段を示す部分軸方向断面図
【図２０】首部手段上の最終ロック形態においてコントラスト手段と連係するロック手段を示す、図１９と同様の部分軸方向断面図
【図２１】首部手段の斜視部分側面図
【図２２】首部手段の変形体を示す、図２１と同様の斜視部分側面図。
【図２３】首部手段のさらなる変形体を示す、図２１と同様のさらなる斜視部分断面図
【図２４】キャップ手段の斜視側面図
【図２５】図２４のキャップ手段の下からの斜視図
【図２６】図２４のキャップ手段とそのキャップ手段を関連付け得る首部手段の斜視側面図
【図２７】図２６の首部手段の斜視部分側面図
【図２８】首部手段の変形体を示す、図２７と同様の斜視部分断面図
【図２９】首部手段のさらなる変形体を示す、図２７と同様の斜視部分断面図
【図３０】首部手段のさらなる変形体を示す、図２７と同様の斜視部分断面図
【図３１】首部手段の当接手段を示す首部手段の上からの斜視部分断面図
【符号の説明】
【０１９９】
１首部手段
２口壁
３ねじ手段
３ａ第１ねじ
３ｂ第２ねじ
３ｃ第３ねじ
４始発部分
５開口部
６コントラスト部分
６ａ終点部分
７第１当接面
８外面
９キャップ手段
１０基体
１１開封表示手段（突出手段）
１２底壁
１３側壁
１４ねじ加工
１５不正開封防止用リング
１６下縁
１７フラップ手段
１８第１部分
１９第２部分
２０第２当接面
２１ブリッジ要素
２２キャップ手段
２３開封表示手段
２４フラップ手段
２５キャップ手段
２６開封表示手段
２７不正開封防止用リング
２８フック部分
２９フック部分
３０開封表示手段
３１第１当接面
３２第２当接面
３３さらなる第１部分
３４中間部分
３５キャップ手段
３６底壁
３７円柱状スカート
３８らせん（ねじ手段）
３９開封表示手段
４０ロック部分
４１端部ゾーン
４２下縁（末端）
４３ねじ端部
４４第１分離用ライン手段
４５第１分離用ライン
４６ねじ中間部
４７第２分離用ライン
４８第３分離用ライン
４９第２分離用ライン手段
５０第４分離用ライン
５２中断ゾーン
５３第５分離用ライン
５４第６分離用ライン
５５第７分離用ライン
５６第３分離用ライン
５７第８分離用ライン
５８中断ゾーン
５９第１ゾーン
６０第２ゾーン
６１第９分離用ライン
６２第１取り外し可能部分
６３第２取り外し可能部分
６４第３取り外し可能部分
６５第１らせん
６６（本文中に記載なし）
６７ロック部分の上面
６８ねじ手段の下面
６９ロック表面
７０当接手段
７１コントラスト手段
７１ａ第１当接要素
７１ｂ第２当接要素
７１ｃ第３当接要素
７２作用表面
７３部分
７４コントラスト要素
７４ａ当接体
７４ｂ当接体
７４ｃ当接体
７５作用表面
７６作用面
７７当接部
７８端部
７９端部
８２作用表面
８３コントラスト手段
８４コントラスト手段
８４ａ当接体
８４ｂ当接体
８４ｃ当接体
８５活性面
８６活性面
８７当接部
８８終点部分
８９終点部分
１００突出手段
１０１第１端部
１０２フック部分
１０３空隙
１１０第１端部
１１１第１端部
１１２第２端部
１１３第２端部
１１４端部
１１５端部
１１６第１端部
１１７第２端部
１２０第３当接面
１３２（本文中に記載なし）
１３５キャップ手段
１３６底壁
１３７円柱状スカート
１３８ねじ手段
１３８ａねじ
１３８ｂねじ
１３８ｃねじ
２００突出要素
２０１面
２０３把持促進手段
２０４波形部
２０５波形部
３０１ゾーン
３０２面
４０１開封表示手段
４０２分離用ライン
４０３ブリッジ要素
４０４第１ねじ部分
４０５第２ねじ部分
４０５ａ第１コントラスト部分
４０５ｂ第２コントラスト部分
４０６基体
４０７空隙手段
４０８コントラスト表面手段
５００壁
６００停止手段
７１１コントラスト要素
Ａ縦軸
Ｂ開封方向
Ｆ方向
Ｈ回転方向
Ｗ縦軸
Ｘ平面
α１鈍角
α２鋭角
Ｐ交差点
Ｚ平面
【図１】
2009524556.tif 000003
【図２】
2009524556.tif 000004
【図３】
2009524556.tif 000005
【図４】
2009524556.tif 000006
【図５】
2009524556.tif 000007
【図６】
2009524556.tif 000008
【図７】
2009524556.tif 000009
【図８】
2009524556.tif 000010
【図９】
2009524556.tif 000011
【図１０】
2009524556.tif 000012
【図１１】
2009524556.tif 000013
【図１２】
2009524556.tif 000014
【図１３】
2009524556.tif 000015
【図１４】
2009524556.tif 000016
【図１５】
2009524556.tif 000017
【図１６】
2009524556.tif 000018
【図１７】
2009524556.tif 000019
【図１８】
2009524556.tif 000020
【図１９】
2009524556.tif 000021
【図２０】
2009524556.tif 000022
【図２１】
2009524556.tif 000023
【図２２】
2009524556.tif 000024
【図２３】
2009524556.tif 000025
【図２４】
2009524556.tif 000026
【図２５】
2009524556.tif 000027
【図２６】
2009524556.tif 000028
【図２７】
2009524556.tif 000029
【図２８】
2009524556.tif 000030
【図２９】
2009524556.tif 000031
【図３０】
2009524556.tif 000032
【図３１】
2009524556.tif 000033
【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
基体（４０６）と、容器の首部（１）のさらなるねじ手段（３）との相互作用に適するねじ手段（１３８）と、停止手段（６００）を備える開封表示手段（４０１）とを含み、前記停止手段（６００）が前記ねじ手段（１３８）のらせん手段に沿って提供され、前記ねじ手段（１３８）が互いに異なる第１ねじ部分手段（４０４）と第２ねじ部分手段（４０５）とを含み、前記停止手段（６００）が前記第２ねじ部分手段（４０５）を含んでいて、前記開封表示手段が不正開封防止用リング（４０１）を含み、分離用ライン（４０２）が前記不正開封防止用リング（４０１）と前記基体（４０６）の間に規定され、前記第１ねじ部分手段（４０４）が前記基体（４０６）に延在し、前記第２ねじ部分手段（４０５）が前記不正開封防止用リング（４０１）に延在していることを特徴とする、キャップ。
【請求項２】
前記第２ねじ部分手段（４０５）と前記第１ねじ部分手段（４０４）が、前記らせん手段の同一らせんに沿って延在していることを特徴とする、請求項１に記載のキャップ。
【請求項３】
空隙手段（４０７）が、前記第１ねじ部分手段（４０４）と前記第２ねじ部分手段（４０５）の間に介装されていることを特徴とする、請求項１または請求項２に記載のキャップ。
【請求項４】
前記分離用ライン（４０２）が前記空隙手段（４０７）を横断し、前記第２ねじ部分手段（４０５）と前記第１ねじ部分手段（４０４）が前記分離用ライン（４０２）を基準として反対側に配置されることを特徴とする、請求項３に記載のキャップ。
【請求項５】
前記停止手段（６００）が、前記首部手段（１）と関連のある当接手段（７１）との相互作用に適する相殺的表面手段（４０８）を含んでいることを特徴とする、請求項１〜請求項４のいずれか１つに記載のキャップ。
【請求項６】
前記相殺的表面手段（４０８）が、前記キャップを前記首部（１）から離れさせる方向に沿って、意図された開封方向に対し横方向に配置されることを特徴とする、請求項５に記載のキャップ。
【請求項７】
前記停止手段が、互いに異なる複数の停止要素（６００）を含んでいることを特徴とする、請求項１〜請求項６のいずれか１つに記載のキャップ。
【請求項８】
前記相殺的表面手段（４０８）が互いに異なる複数の相殺的表面（４０８ａ、４０８ｂ、４０８ｃ）を含み、前記複数の停止要素の各停止要素（６００）が前記複数の相殺的表面の対応する相殺的表面（４０８ａ、４０８ｂ、４０８ｃ）を含んでいることを特徴とする、請求項７に記載のキャップ。
【請求項９】
前記ねじ手段（１３８）が互いに異なる複数のねじを含み、前記第２ねじ部分手段（４０５）が互いに異なる複数のねじ端部（４０５ａ、４０５ｂ、４０５ｃ）を含み、前記複数のねじの各ねじが前記複数のねじ端部の対応するねじ端部（４０５ａ、４０５ｂ、４０５ｃ）を含んでいることを特徴とする、請求項１〜請求項８のいずれか１つに記載のキャップ。
【請求項１０】
基体（４０６）と、ねじ手段（１３８）と、停止手段（６００）を含む開封表示手段（４０１）とを備えるキャップ（１３５）を含み、前記クロージャー手段がさらなるねじ手段（３）を備える容器の首部（１）をさらに含んでいて、前記停止手段（６００）が前記ねじ手段（１３８）のらせん手段に沿って提供され、前記首部（１）から突出する当接手段（７１）と相互作用し、前記ねじ手段（１３８）が互いに異なる第１ねじ部分手段（４０４）と第２ねじ部分手段（４０５）とを含み、前記停止手段（６００）が前記第２ねじ部分手段（４０５）を含んでいて、前記開封表示手段が不正開封防止用リング（４０１）を含み、分離用ライン（４０２）が前記不正開封防止用リング（４０１）と前記基体（４０６）の間に規定され、前記第１ねじ部分手段（４０４）が前記基体（４０６）に延在し、前記第２ねじ部分手段（４０５）が前記不正開封防止用リング（４０１）に延在していることを特徴とする、クロージャー手段。
【請求項１１】
前記第２ねじ部分手段（４０５）と前記第１ねじ部分手段（４０４）が、前記らせん手段の同一らせんに沿って延在していることを特徴とする、請求項１０に記載のクロージャー手段。
【請求項１２】
空隙手段（４０７）が、前記第１ねじ部分手段（４０４）と前記第２ねじ部分手段（４０５）の間に介装されていることを特徴とする、請求項１０または請求項１１に記載のクロージャー手段。
【請求項１３】
前記分離用ライン（４０２）が前記空隙手段（４０７）を横断し、前記第２ねじ部分手段（４０５）と前記第１ねじ部分手段（４０４）が前記分離用ライン（４０２）を基準として反対側に配置されることを特徴とする、請求項１２に記載のクロージャー手段。
【請求項１４】
前記停止手段（６００）が、前記当接手段（７１）と相互作用するために配置される相殺的表面手段（４０８）を含んでいることを特徴とする、請求項１０〜請求項１３のいずれか１つに記載のクロージャー手段。
【請求項１５】
前記相殺的表面手段（４０８）が、前記キャップ（１３５）を前記首部（１）から離れさせる方向に沿って、意図された開封方向に対し横方向に配置されることを特徴とする、請求項１４に記載のクロージャー手段。
【請求項１６】
前記停止手段が、互いに異なる複数の停止要素（６００）を含んでいることを特徴とする、請求項１０〜請求項１５のいずれか１つに記載のクロージャー手段。
【請求項１７】
前記相殺的表面手段（４０８）が互いに異なる複数の相殺的表面（４０８ａ、４０８ｂ、４０８ｃ）を含み、前記複数の停止要素の各停止要素（６００）が前記複数の相殺的表面の対応する相殺的表面（４０８ａ、４０８ｂ、４０８ｃ）を含んでいることを特徴とする、請求項１６に記載のクロージャー手段。
【請求項１８】
前記ねじ手段（１３８）が互いに異なる複数のねじを含み、前記第２ねじ部分手段（４０５）が互いに異なる複数のねじ端部（４０５ａ、４０５ｂ、４０５ｃ）を含み、前記複数のねじの各ねじが前記複数のねじ端部の対応するねじ端部（４０５ａ、４０５ｂ、４０５ｃ）を含んでいることを特徴とする、請求項１０〜請求項１７のいずれか１つに記載のクロージャー手段。
【請求項１９】
前記当接手段（７１）が前記首部手段（１）から円周方向に延在していることを特徴とする、請求項１０〜請求項１８のいずれか１つに記載のクロージャー手段。
【請求項２０】
前記当接手段（７１）が、前記さらなるねじ手段（３）より前記首部（１）の開口部（５）から遠いことを特徴とする、請求項１０〜請求項１９に記載のクロージャー手段。
【請求項２１】
前記当接手段（７１）が、前記開口部（５）を基準として反対側の前記ねじ手段（３）から延在していることを特徴とする、請求項２０に記載のクロージャー手段。
【請求項２２】
前記当接手段（７１）が、前記相殺的表面手段（４０８）と相互作用するために配置される作用表面手段（７２）を含んでいることを特徴とする、請求項１４または請求項１５、あるいは請求項１６〜請求項２１のいずれか１つに記載のクロージャー手段。
【請求項２３】
前記作用表面手段（７２）と前記相殺的表面手段（４０８）が前記キャップ手段（１３５）を前記首部手段（１）から離れさせる際に、前記開封表示手段（４０１）のブリッジ要素（４０３）の破壊を促進する剪断応力を生じさせるように形設されることを特徴とする、請求項２２に記載のクロージャー手段。
【請求項２４】
前記当接手段（７１）が、前記作用表面手段（７２）を基準として横方向に配置されるさらなる作用表面手段（８２）を含んでいることを特徴とする、請求項２２または請求項２３に記載の容器手段。
【請求項２５】
前記さらなる作用表面手段（８２）が前記キャップ手段（１３５）を前記首部手段（１）から離れさせる際に、前記開封表示手段（４０１）のブリッジ要素（４０３）の破壊を促進する牽引応力を生じさせるように形設されることを特徴とする、請求項２４に記載のクロージャー手段。
【請求項２６】
前記さらなるねじ手段（３）が、前記キャップ手段（１３５）を前記首部手段（１）から離れさせる方向に沿って、意図された開封方向（Ｈ）に対し横方向に配置される面手段（７）を備える端部（６）を含んでいることを特徴とする、請求項１０〜請求項２５のいずれか１つに記載のクロージャー手段。
【請求項２７】
前記作用表面手段（７２）と前記面手段（７）が、事実上、同一平面上にあることを特徴とする、請求項２６に記載のクロージャー手段。
【請求項２８】
前記当接手段が、互いに異なる複数の当接要素（７１）を含んでいることを特徴とする、請求項１０〜請求項２７のいずれか１つに記載のクロージャー手段。
【請求項２９】
前記作用表面手段が互いに異なる複数の作用表面（７２）を有し、前記複数の当接要素の各当接要素（７１）が前記複数の作用表面の対応する作用表面（７２）を含んでいることを特徴とする、請求項２８、あるいは請求項２６、あるいは請求項２７に記載のクロージャー手段。
【請求項３０】
前記さらなる作用表面手段が互いに異なる複数のさらなる作用表面（８２）を含み、前記複数の当接要素の各当接要素（７１）が前記複数のさらなる作用表面の対応するさらなる作用表面（８２）を含んでいることを特徴とする、請求項２８または請求項２９、あるいは請求項２６または請求項２７に記載のクロージャー手段。
【請求項３１】
前記当接要素（７１）が、事実上、同一平面上に位置することを特徴とする、請求項２８〜請求項３０のいずれか１つに記載のクロージャー手段。
【請求項３２】
前記さらなるねじ手段（３）が複数のさらなるねじを含み、前記複数の当接要素の各当接要素（７１）が前記複数のさらなるねじの対応するさらなるねじと関連があることを特徴とする、請求項２８〜請求項３１のいずれか１つに記載のクロージャー手段。
【請求項３３】
キャップ手段（５；２２；２５；３５；１３５）をねじ込み可能なねじ手段（３）を備える首部手段（１）と、前記キャップ手段（５；２２；２５；３５；１３５）の開封表示手段（１１；２３；２６；３０；３９；４０１）との相互作用に適するコントラスト手段（６；６ａ）とを含んでいて、前記コントラスト手段（６；６ａ）が前記ねじ手段（３）のらせん手段に沿って提供されることを特徴とする、容器。
【請求項３４】
前記コントラスト手段（６；６ａ）が前記ねじ手段（３）に提供されることを特徴とする、請求項３３に記載の容器手段。
【請求項３５】
前記コントラスト手段（６；６ａ）が、前記キャップ手段（９；２２；２５；３５）を前記首部手段（１）から離れさせる方向に沿って、意図された開封方向（Ｈ）に対し横方向に配置される第１当接面（７；３１）を含んでいることを特徴とする、請求項３３または請求項３４に記載の容器手段。
【請求項３６】
前記首部手段（１）が、前記首部手段（１）の厚み部分上に延在し、前記第１当接面（７；３１）を規定する壁によって区切られるくぼみを含んでいることを特徴とする、請求項３５に記載の容器手段。
【請求項３７】
前記コントラスト手段（６；６ａ）が、事実上、前記ねじ手段（３）と平行に配置される第２当接面（２０；３２）を含んでいることを特徴とする、請求項３３〜請求項３６のいずれか１つに記載の容器手段。
【請求項３８】
前記第２当接面（２０；３２）が、前記首部手段（１）の開口部（５）からもっとも遠い前記ねじ手段（３）の１つのゾーンで得られることを特徴とする、請求項３７に記載の容器手段。
【請求項３９】
前記第２当接面（２０；３２）が、前記第１当接面（７；３１）に対し横方向に配置されることを特徴とする、請求項３７または請求項３８に記載の容器手段。
【請求項４０】
前記首部手段（１）が、前記首部手段（１）の厚み部分上に延在し、前記第２当接面（２０；３２）の一部を規定するさらなる壁によって区切られるさらなるくぼみを含んでいることを特徴とする、請求項３７〜請求項３９のいずれか１つに記載の容器手段。
【請求項４１】
前記第２当接面（２０；３２）が、前記開封表示手段（１１；２３；２６；３０；３９；４０１）の対応するさらなる把持促進手段（２０２）との連係に適する把持促進手段（２０３）を含んでいることを特徴とする、請求項３７〜請求項４０のいずれか１つに記載の容器手段。
【請求項４２】
前記把持促進手段（２０３）が波形部（２０５）を含んでいることを特徴とする、請求項４１に記載の容器手段。
【請求項４３】
前記コントラスト手段（６ａ）が、前記第１当接面（７）が得られる前記コントラスト手段（６ａ）の一部においてより大きな断面を有することを特徴とする、請求項３５または請求項３６、あるいは請求項３７〜請求項４０のいずれか１つに記載の容器手段。
【請求項４４】
前記コントラスト手段が、前記首部手段（１）の開口部（５）からもっとも遠い前記ねじ手段（３）の端部ゾーンにおいて提供されるコントラスト部分（６；６ａ）を含んでいることを特徴とする、請求項１〜請求項４３のいずれか１つに記載の容器手段。
【請求項４５】
前記ねじ手段が複数のねじ（３）を含んでいることを特徴とする、請求項１〜請求項４４のいずれか１つに記載の容器手段。
【請求項４６】
前記複数のねじ（３）の各ねじ（３）が前記コントラスト部分手段のコントラスト部分（６）を含んでいることを特徴とする、請求項４５に記載の容器手段。
【請求項４７】
請求項１〜請求項４６のいずれか１つによる、そして前記開封表示手段（１１；２３；２６；３０；３９；４０１）と相互作用するために配置されるさらなるコントラスト手段（７１；７４；８４）をさらに含んでいる、容器手段。
【請求項４８】
前記さらなるコントラスト手段（７１；７４；８４）が首部手段（１）から円周方向に延在していることを特徴とする、請求項４７に記載の容器手段。
【請求項４９】
前記さらなるコントラスト手段（７１；７４）が、前記ねじ手段（３）よりも前記首部手段（１）の開口部（５）からより遠いことを特徴とする、請求項４７または請求項４８に記載の容器手段。
【請求項５０】
前記コントラスト手段が、前記キャップ手段（９；２２；２５；３５；１３５）を前記首部手段（１）から離れさせる方向に沿って、意図された開封方向（Ｈ）に対し横方向に配置される作用表面（７２）を備える第１さらなるコントラスト手段（７１）を含んでいることを特徴とする、請求項４９に記載の容器手段。
【請求項５１】
前記第１さらなるコントラスト手段（７１）が、前記作用表面（７２）に対し横方向に配置されるさらなる作用表面（８２）を含んでいることを特徴とする、請求項５０に記載の容器手段。
【請求項５２】
前記作用表面（７２）と前記第１当接面（７；３１）とが、事実上、同一表面上にあることを特徴とする、請求項５０または請求項５１、あるいは請求項３７〜請求項４９のいずれか１つに記載の容器手段。
【請求項５３】
前記第１さらなるコントラスト手段（７１）が、前記開口部（５）を基準として反対側の前記ねじ手段（３）から延在していることを特徴とする、請求項５０〜請求項５２のいずれか１つに記載の容器手段。
【請求項５４】
前記さらなるコントラスト手段が、前記キャップ手段（９；２２；２５；３５；１３５）を前記首部手段（１）から離れさせる方向に沿って、意図された開封方向（Ｈ）に対し横方向に配置される作用面（７５）を備える第２さらなるコントラスト手段（７４）を含んでいることを特徴とする、請求項４９〜請求項５３のいずれかに記載の容器手段。
【請求項５５】
前記第２さらなるコントラスト手段（７４）が、前記作用面（７５）に対し横方向に配置されるさらなる作用面（７６）を含んでいることを特徴とする、請求項５４に記載の容器手段。
【請求項５６】
前記第１さらなるコントラスト手段が互いに異なる複数のさらなる第１コントラスト要素（７１）を含み、前記第２さらなるコントラスト手段が互いに異なる複数の第２さらなるコントラスト要素（７４）を含んでいることを特徴とする、請求項５４または請求項５５に記載の容器手段。
【請求項５７】
前記複数の第１さらなるコントラスト要素（７１）と前記複数の第２さらなるコントラスト要素（７４）とは、事実上、同じ平面上に位置することを特徴とする、請求項５６に記載の容器手段。
【請求項５８】
前記複数の第１さらなるコントラスト要素の各第１さらなるコントラスト要素（７１）が、前記複数の第２コントラスト要素の２つの第２さらなるコントラスト要素（７４）の間に介装されていることを特徴とする、請求項５６または請求５７のいずれかに記載の容器手段。
【請求項５９】
前記第１さらなるコントラスト手段が互いに異なる第１さらなるコントラスト要素（７１）を含み、前記第２さらなるコントラスト手段が環状形を有する第２さらなるコントラスト要素（７４ｃ）を含んでいることを特徴とする、請求項５４または請求項５５に記載の容器手段。
【請求項６０】
前記さらなるコントラスト手段が第３さらなるコントラスト手段（８４）を含み、前記第３さらなるコントラスト手段（８４）と前記コントラスト手段（６）が、事実上、同一平面上に位置することを特徴とする、請求項４７または請求項４８に記載の容器手段。
【請求項６１】
前記第３さらなるコントラスト手段（８４）が、前記キャップ手段（９；２２；２５；３５；１３５）を前記首部手段（１）から離れさせる方向に沿って、意図された開封方向（Ｈ）に対し横方向に配置される作用面（８５）を備えることを特徴とする、請求項６０に記載の容器手段。
【請求項６２】
前記第３さらなるコントラスト手段（８４）が、前記作用面（８５）に対し横方向に配置されるさらなる作用面（８６）を含んでいることを特徴とする、請求項６１に記載の容器手段。
【請求項６３】
前記第３さらなるコントラスト手段が、互いに異なる複数の第３さらなるコントラスト要素（８４）を含んでいることを特徴とする、請求項６０〜請求項６２のいずれか１つに記載の容器手段。
【請求項６４】
前記複数の第３さらなるコントラスト要素（８４）と前記コントラスト部分（６）が、事実上、同一平面上に位置することを特徴とする、請求項６３に記載の容器手段。
【請求項６５】
前記複数の第３さらなるコントラスト要素の各第３コントラスト要素（８４）が、前記コントラスト部分の隣接する２つのコントラスト部分（６）の間に介装されていることを特徴とする、請求項６４に記載の容器手段。
【請求項６６】
前記第３さらなるコントラスト手段が、環状形を有する第３さらなるコントラスト要素（８４ｃ）を含んでいることを特徴とする、請求項６０〜請求項６２に記載の容器手段。
【請求項６７】
容器の首部手段（１）のさらなるねじ手段（３）および停止手段（６００）を備える開封表示手段（３９；４０１）との相互作用に適するねじ手段（３８；１３８）を含み、前記停止手段が前記ねじ手段（３８；１３８）のらせん手段に沿って提供されることと特徴とする、キャップ手段。
【請求項６８】
前記停止手段（６００）が前記ねじ手段（１３８）において提供されることを特徴とする、請求項６７に記載のキャップ手段。
【請求項６９】
前記ねじ手段（１３８）が、前記停止手段（６００）によって分離されるねじ部分手段（４０４）を含み、前記停止手段（６００）と前記ねじ部分手段（４０４）が前記らせん手段の同一らせんに沿って延在していることを特徴とする、請求項６７または請求項６８に記載のキャップ手段。
【請求項７０】
前記ねじ部分手段（４０４）と前記停止手段（６００）の間に空隙手段（４０７）が介装されていることを特徴とする、請求項６９に記載のキャップ手段。
【請求項７１】
前記開封表示手段（４０1)と前記キャップ手段の基体（４０６）の間に介装される分離用ライン手段（４０２）が、前記分離用ライン手段（４０２）を基準として反対側に配置される前記空隙手段（４０７）、前記停止手段（６００）、および前記第３ねじ部分手段（４０４）を横断することを特徴とする、請求項７０に記載のキャップ手段。
【請求項７２】
前記ねじ部分手段（４０４）が、前記基体（４０６）に伸展していることを特徴とする、請求項７１に記載のキャップ手段。
【請求項７３】
前記停止手段（６００）が、前記首部手段（１）と関連のある当接手段（７１）との相互作用に適するコントラスト表面手段（４０８）を含んでいることを特徴とする、請求項６９〜請求項７２のいずれか１つに記載のキャップ手段。
【請求項７４】
前記コントラスト表面手段（４０８）が、前記キャップ手段を前記首部手段（１）から離れさせる方向に沿って、意図された開封方向に対し横方向に配置されることを特徴とする、請求項７３に記載のキャップ手段。
【請求項７５】
前記停止手段が、互いに異なる複数の停止要素（６００）を含んでいることを特徴とする、請求項６９〜請求項７４のいずれか１つに記載のキャップ手段。
【請求項７６】
前記コントラスト表面手段（４０８）が互いに異なる複数のコントラスト表面（４０８ａ、４０８ｂ、４０８ｃ）を含み、前記複数の停止要素の各停止要素（６００）が前記複数のコントラスト表面の対応するコントラスト表面（４０８ａ、４０８ｂ、４０８ｃ）を含んでいることを特徴とする、請求項７５に記載のキャップ手段。
【請求項７７】
前記停止手段（６００）が、前記ねじ手段（１３８）のさらなるねじ部分手段（４０５）を含んでいることを特徴とする、請求項６９〜請求項７６のいずれか１つに記載のキャップ手段。
【請求項７８】
前記ねじ手段（１３８）が互いに異なる複数のねじを含み、前記さらなるねじ部分手段（４０５）が互いに異なる複数のねじ端部（４０５ａ、４０５ｂ、４０５ｃ）を含み、前記複数のねじの各ねじが前記複数のねじ端部の対応するねじ端部（４０５ａ、４０５ｂ、４０５ｃ）を含んでいることを特徴とする、請求項７７に記載のキャップ手段。
【請求項７９】
前記停止手段がフラップ手段を含んでいることを特徴とする、請求項６９〜請求項７６のいずれか１つに記載のキャップ手段。
【請求項８０】
前記フラップ手段が、前記キャップ手段（１）が回りながら前記首部手段（１）にはめられる際に、前記らせん手段の連続する２つのらせんの間で受けられるような寸法を有していることを特徴とする、請求項７９に記載のキャップ手段。
【請求項８１】
前記停止手段がフック手段を含んでいることを特徴とする、請求項６９〜請求項７６のいずれか１つに記載のキャップ手段。
【請求項８２】
前記フック手段が、前記キャップ手段（１）が回りながら前記首部手段（１）にはめられる際に、前記らせん手段の連続する２つのらせんの間で受けられるような寸法を有していることを特徴とする、請求項８１に記載のキャップ手段。
【請求項８３】
前記停止手段（６００）が、前記ねじ手段（３８）のねじ部分（４３）から横方向に突出するロック部分付属物手段（４０）を含んでいることを特徴とする、請求項６７または請求項６８に記載のキャップ手段。
【請求項８４】
前記ロック付属物手段（４０）が前記キャップ手段（３５）の底壁に向って突出していることを特徴とする、請求項８３に記載のキャップ手段。
【請求項８５】
前記ロック付属物手段（４０）が、前記ねじ手段（３８）の連続するらせんの間に含まれるゾーンを部分的に占有するように形設されることを特徴とする、請求項８３または請求項８４に記載のキャップ手段。
【請求項８６】
前記ねじ部分（４３）が、前記キャップ手段（３５）の底壁（３６）から遠い前記ねじ手段（３８）を規定していることを特徴とする、請求項８３〜請求項８５のいずれか１つに記載のキャップ手段。
【請求項８７】
前記ロック付属物手段（４０）が、前記キャップ手段（３５）の底壁（３６）から遠い前記ねじ部分（４３）の端部ゾーンで得られることを特徴とする、請求項８３〜請求項８６のいずれか１つに記載のキャップ手段。
【請求項８８】
前記開封表示手段（３９）と前記キャップ手段（３５）の本体（３７）の間に介装される前記分離用ライン手段（４４；４９；５６）をさらに含む、請求項６７または請求項６８、あるいは請求項８３〜請求項８７のいずれか１つに記載のキャップ手段。
【請求項８９】
前記分離用ライン手段が、前記本体（３７）から少なくとも一部が分離されるように配置される第１キャップ部分（６２）を区切る第１分離用ラインを含んでいることを特徴とする、請求項８８に記載のキャップ手段。
【請求項９０】
前記第１分離用ライン手段（４４）が、前記ねじ部分（４３）に対し横方向に配置される第１分離用ライン（４５）を含んでいることを特徴とする、請求項８９に記載のキャップ手段に記載のキャップ手段。
【請求項９１】
前記第１分離用ライン（４５）が、前記キャップ手段（３５）の末端（４２）から、前記ねじ部分（４３）とさらなるねじ部分（４６）（前記ねじ部分（４３）を基準としてさらなる前記末端（４２）から遠い）の間に介装されるゾーンまで延在していることを特徴とする、請求項９０に記載のキャップ手段。
【請求項９２】
前記第１分離用ライン手段（４４）が、前記ねじ部分（４３）に対し横方向に配置される第２分離用ライン（４７）をさらに含んでいることを特徴とする、請求項９１に記載のキャップ手段。
【請求項９３】
前記第２分離用ライン（４７）が、前記末端（４２）から前記ねじ部分（４３）と前記さらなるねじ部分（４６）の間に介装されるさらなるゾーンまで延在していることを特徴とする、請求項９２に記載のキャップ手段。
【請求項９４】
前記第１分離用ライン（４５）と前記第２分離用ライン（４７）が、前記ロック付属物手段（４０）を基準として反対側に配置されることを特徴とする、請求項９２または請求項９３に記載のキャップ手段。
【請求項９５】
前記第１分離用ライン手段（４４）が、前記第１分離用ライン（４５）の端部（１１４）を前記第２分離用ライン（４７）のさらなる端部（１１５）に接続させる第３分離用ライン（４８）をさらに含んでいることを特徴とする、請求項９２〜請求項９４のいずれか１つに記載のキャップ手段。
【請求項９６】
前記第３分離用ライン（４８）が、事実上、前記末端（４２）と平行であることを特徴とする、請求項９５に記載のキャップ手段。
【請求項９７】
前記分離用ライン手段が、前記本体（３７）から少なくとも一部が分離されるように配置される第２キャップ部分（６３）を区切る第２分離用ライン手段（４９）を含んでいることを特徴とする、請求項８８に記載のキャップ手段。
【請求項９８】
前記第２分離用ライン手段（４９）が、事実上、前記キャップ手段（３５）の末端（４２）と平行して延在する第４分離用ライン（５０）を含んでいることを特徴とする、請求項９７に記載のキャップ手段。
【請求項９９】
前記第４分離用ライン（５０）が、前記ねじ手段（３８）を基準として前記末端（４２）により近いことを特徴とする、請求項９８に記載のキャップ手段。
【請求項１００】
前記第４分離用ライン（５０）が前記ねじ部分（４３）で中断されることを特徴とする、請求項９９（請求項８８は請求項８３〜請求項８７のいずれか１つに付記される）に記載のキャップ手段。
【請求項１０１】
前記第２分離用ライン手段（４９）は、事実上、前記末端（４２）と平行して延在する第５分離用ライン（５３）をさらに含んでいることを特徴とする、請求項１００に記載のキャップ手段。
【請求項１０２】
前記第５分離用ライン（５３）が、前記ねじ部分（４３）と前記ねじ部分（４３）を基準として前記末端から遠いさらなるねじ部分（４６）の間に延在していることを特徴とする、請求項１０１に記載のキャップ手段。
【請求項１０３】
前記第５分離用ライン（５３）が、前記ねじ部分（４３）より大きい円周方向の延在を有することを特徴とする、請求項１０２に記載のキャップ手段。
【請求項１０４】
前記第５分離用ライン（５３）が前記ねじ部分（４３）から左右に延在していることを特徴とする、請求項１０３に記載のキャップ手段。
【請求項１０５】
前記第２分離用ライン手段（４９）が、前記第５分離用ライン（５３）の第１端部（１１０）と前記第４分離用ライン（５０）のさらなる第１端部（１１１）を接続させるようにして、前記ねじ手段（３８）に対し横方向に配置される第６分離用ライン（５４）をさらに含んでいることを特徴とする、請求項１０２〜請求項１０４のいずれか１つに記載のキャップ手段。
【請求項１０６】
前記第６分離用ライン（５４）が、中断ゾーンが前記ねじ部分（４３）に隣接している前記ねじ手段（３８）の中断ゾーン（５２）に延在していることを特徴とする、請求項１０５に記載のキャップ手段。
【請求項１０７】
前記第２分離用ライン手段（４９）が、前記第５分離用ライン（５３）の第２端部（１１２）と前記第４分離用ライン（５０）のさらなる第２端部（１１３）を接続させるようにして、前記ねじ手段（３８）に対し横方向に配置される第７分離用ライン（５５）をさらに含んでいることを特徴とする、請求項１０１〜請求項１０６のいずれか１つに記載のキャップ手段。
【請求項１０８】
前記分離用ライン手段が、前記本体（３７）から少なくとも一部が分離されるように配置される第３キャップ部分（６４）を区切る第３分離用ライン手段（４４）を含んでいることを特徴とする、請求項８６に記載のキャップ手段。
【請求項１０９】
前記第３分離用ライン手段（４４）が、事実上、前記ねじ手段（３８）と平行して延在する第８分離用ライン手段（５７）を含んでいることを特徴とする、請求項１０８に記載のキャップ手段。
【請求項１１０】
前記第８分離用ライン（５７）が、前記ねじ部分（４３）を基準として前記キャップ手段（３５）の末端（４２）から遠いことを特徴とする、請求項１０９に記載のキャップ手段。
【請求項１１１】
前記第８分離用ライン（５７）が前記本体（３７）の側壁の広範な部分に沿って延在していることを特徴とする、請求項１１０に記載のキャップ手段。
【請求項１１２】
前記第８分離用ライン（５７）が、事実上、３６０°の角の広がりを有することを特徴とする、請求項１１１に記載のキャップ手段。
【請求項１１３】
前記第８分離用ライン（５７）が、前記第１端部（１１６）と第２端部（１１７）を有し、前記第１端部（１１６）は第２端部（１１７）より前記末端（４２）から遠いことを特徴とする、請求項１１０〜請求項１１２のいずれか１つに記載のキャップ手段。
【請求項１１４】
前記第３分離用ライン手段（５６）が、前記ねじ手段（３８）に対し横方向に配置され、前記第１末端（１１６）と前記第２末端（１１７）を接続させる第９分離用ライン（５６）を含んでいることを特徴とする、請求項１１３に記載のキャップ手段。
【請求項１１５】
前記ねじ手段が複数のねじ（３８）を含んでいることを特徴とする、請求項６７または請求項６８、あるいは請求項８３〜請求項１１４のいずれか１つに記載のキャップ手段。
【請求項１１６】
前記ロック付属物手段のロック付属物（４０）が前記複数のねじの各ねじ（３８）を備えていることを特徴とする、請求項１１５、あるいは請求項８８〜請求項１１４のいずれか１つに記載のキャップ手段。
【請求項１１７】
コントラスト手段（６；６ａ）が、前記開封表示手段（１１；２３；２６；３０；３９；４０１）との相互作用のために前記ねじ手段（３）のらせん手段に沿って配置されることを特徴とする、開封表示手段（１１；２３；２６；３０；３９；４０１）と、ねじ手段（３）を備える容器の首部手段（１）とを備えるキャップ手段（９；２２；２５；３５；１３５）を含む、クロージャー手段。
【請求項１１８】
前記コントラスト手段（６；６ａ）が前記ねじ手段（３）に配置されることを特徴とする、請求項１１７に記載のクロージャー手段。
【請求項１１９】
前記コントラスト手段（６；６ａ）が、前記キャップ手段（９；２２；２５；３５）を前記首部手段（１）から離れさせる方向に沿って、意図された開封方向（Ｈ）に対し横方向に配置される第１当接面（７；３１）を含んでいることを特徴とする、請求項１１７または請求項１１８に記載のクロージャー手段。
【請求項１２０】
前記首部手段（１）が、前記首部手段（１）の厚み部分上に延在し、前記第１当接面（７；３１）の一部を規定する壁によって区切られるくぼみを含んでいることを特徴とする、請求項１１９に記載のクロージャー手段。
【請求項１２１】
前記コントラスト手段（６；６ａ）が、事実上、前記ねじ手段（３）と平行に配置される第２当接面（２０；３２）を特徴とする、請求項１１７〜請求項１２０のいずれか１つに記載のクロージャー手段。
【請求項１２２】
前記第２当接面（２０；３２）が、前記首部手段（１）の開口部（５）から遠い前記ねじ手段（３）の１つのゾーンで得られることを特徴とする、請求項１２１に記載のクロージャー手段。
【請求項１２３】
前記第２当接面（２０；３２）が、前記第１当接面（７；３１）に対し横方向に配置されることを特徴とする、請求項１２１または請求項１２２に記載のクロージャー手段。
【請求項１２４】
前記首部手段（１）が、前記首部手段（１）の厚み部分上に延在し、前記第２当接面（２０；３２）の一部を規定するさらなる壁によって区切られるさらなるくぼみを含んでいることを特徴とする、請求項１２１〜請求項１２３のいずれか１つに記載のクロージャー手段。
【請求項１２５】
前記第２当接面（２０；３２）が前記開封表示手段（１１；２３；２６；３０；３９；４０１）の対応するさらなる把持促進手段（２０２）との連係に適する把持促進手段（２０３）を含んでいることを特徴とする、請求項１２１〜請求項１２４のいずれか１つに記載のクロージャー手段。
【請求項１２６】
前記把持促進手段（２０３）が波形部（２０５）を含んでいることを特徴とする、請求項１２５に記載のクロージャー手段。
【請求項１２７】
前記コントラスト手段（６ａ）が、前記第１当接面（７）が得られる前記コントラスト手段（６ａ）の一部においてより大きな断面を有することを特徴とする、請求項１１９または請求項１２０、あるいは請求項１２１〜請求項１２６のいずれか１つに記載のクロージャー手段。
【請求項１２８】
前記コントラスト手段が、前記首部手段（１）の開口部（５）から遠い前記ねじ手段（３）の端部ゾーンに位置するコントラスト部分手段（６；６ａ）を含んでいることを特徴とする、請求項１１７〜請求項１２７のいずれか１つに記載のクロージャー手段。
【請求項１２９】
前記ねじ手段が複数のねじ（３）を含んでいることを特徴とする、請求項１１７〜請求項１２８のいずれかに記載のクロージャー手段。
【請求項１３０】
前記複数のねじ（３）の各ねじ（３）が前記コントラスト部分手段のコントラスト部分（６）を含んでいることを特徴とする、請求項１２９に記載の容器手段に記載のクロージャー手段。
【請求項１３１】
前記開封表示手段（１１；２３；２６；３０；３９）と相互作用するために配置されるさらなるコントラスト手段（７１；７４；８４）をさらに含んでいる、請求項１１７〜請求項１３０のいずれか１つに記載のクロージャー手段。
【請求項１３２】
前記さらなるコントラスト手段（７１；７４；８４）が前記首部手段（１）から円周方向に延在していることを特徴とする、請求項１３１に記載のクロージャー手段。
【請求項１３３】
前記さらなるコントラスト手段（７１；７４）が、前記ねじ手段（３）を基準として前記首部手段（１）の開口部（５）から遠いことを特徴とする、請求項１３１または請求項１３２に記載のクロージャー手段。
【請求項１３４】
前記さらなるコントラスト手段が、前記キャップ手段（９；２２；２５；３５；１３５）を前記首部手段（１）から離れさせる方向に沿って、意図された開封方向（Ｈ）に対し横方向に配置される作用表面（７２）を備える第１さらなるコントラスト手段（７１）を含んでいることを特徴とする、請求項１３３に記載のクロージャー手段。
【請求項１３５】
前記さらなるコントラスト手段（７１）が、前記作用表面（７２）に対し横方向に配置されるさらなる作用表面（８２）を含んでいることを特徴とする、請求項１３４に記載の容器手段。
【請求項１３６】
前記作用表面（７２）と前記第１当接面（７；３１）とが、事実上、同一表面上にあることを特徴とする、請求項１３４または請求項１３５、あるいは請求項１２１〜請求項１３３のいずれか１つに記載のクロージャー手段。
【請求項１３７】
前記第１さらなるコントラスト手段（７１）が、前記開口部（５）を基準として反対側の前記ねじ手段（３）から延在していることを特徴とする、請求項１３４〜請求項１３６のいずれか１つに記載のクロージャー手段。
【請求項１３８】
前記さらなるコントラスト手段が、前記キャップ手段（９；２２；２５；３５；１３５）を前記首部手段（１）から離れさせる方向に沿って、意図された開封方向（Ｈ）に対し横方向に配置される作用面（７５）を備える第２さらなるコントラスト手段（７４）を含んでいることを特徴とする、請求項１３３〜請求項１３７のいずれか１つに記載のクロージャー手段。
【請求項１３９】
前記第２さらなるコントラスト手段（７４）が、前記作用表面（７５）に対し横方向に配置されるさらなる作用面（７６）を含んでいることを特徴とする、請求項１３８に記載のクロージャー手段。
【請求項１４０】
前記第１さらなるコントラスト手段が互いに異なる複数の第１さらなるコントラスト要素（７１）を含み、前記第２さらなるコントラスト手段が互いに異なる複数の第２さらなるコントラスト要素（７４）を含んでいることを特徴とする、請求項１３８または請求項１３９に記載のクロージャー手段。
【請求項１４１】
前記複数の第１さらなるコントラスト要素（７１１）と前記複数の第２さらなるコントラスト要素（７４）が、事実上、同一平面上に位置することを特徴とする、請求項１４０に記載のクロージャー手段。
【請求項１４２】
前記複数の第１さらなるコントラスト要素の各第１さらなるコントラスト要素（７１）が、前記複数の第２コントラスト要素の２つの第２さらなるコントラスト要素（７４）の間に介装されていることを特徴とする、請求項１４０または請求項１４１のいずれかのクロージャー手段。
【請求項１４３】
前記第１さらなるコントラスト手段が互いに異なる第１さらなるコントラスト要素（７１）を含み、前記第２さらなるコントラスト手段が環状形を有する第２さらなるコントラスト要素（７４ｃ）を含んでいることを特徴とする、請求項１３８または請求項１３９に記載のクロージャー手段。
【請求項１４４】
前記さらなるコントラスト手段が第３さらなるコントラスト手段（８４）を含み、前記第３さらなるコントラスト手段と前記コントラスト手段（６）が、事実上、同一平面上に位置することを特徴とする、請求項１３１または請求項１３２に記載のクロージャー手段。
【請求項１４５】
前記第３さらなるコントラスト手段（８４）が、前記キャップ手段（９；２２；２５；３５；１３５）を前記首部手段（１）から離れさせる方向に沿って、意図された開封方向（Ｈ）に対し横方向に配置される作用面（８５）を備えることを特徴とする、請求項１４４に記載のクロージャー手段。
【請求項１４６】
前記第３さらなるコントラスト手段（８４）が、前記作用面（８５）を基準として横方向に配置されるさらなる作用面（８６）を含んでいることを特徴とする、請求項１４５に記載のクロージャー手段。
【請求項１４７】
前記第３さらなるコントラスト手段が、互いに異なる複数の第３さらなるコントラスト要素（８４）を含んでいることを特徴とする、請求項１４４〜請求項１４６のいずれか１つに記載のクロージャー手段。
【請求項１４８】
前記複数の第３さらなるコントラスト要素（８４）と前記コントラスト部分（６）が、事実上、同一平面上に位置することを特徴とする、請求項１４７に記載のクロージャー手段。
【請求項１４９】
前記複数の第３さらなるコントラスト要素の各第３さらなるコントラスト要素（８４）が、前記コントラスト部分の近接する２つのコントラスト部分の間に介装されていることを特徴とする、請求項１４８に記載のクロージャー手段。
【請求項１５０】
前記第３さらなるコントラスト手段が、環状形を有する第３さらなるコントラスト要素（８４ｃ）を含んでいることを特徴とする、請求項１４４〜請求項１４６に記載のクロージャー手段。
【請求項１５１】
前記キャップ手段（３５）が、前記ねじ手段（３）と相互作用するために配置されるさらなるねじ手段（３８）を含んでいて、前記さらなるねじ手段（３８）に前記開封表示手段（３９）のロック手段（４０）が提供され、前記ロック手段（４０）が前記コントラスト手段（６；６ａ）と相互作用するために配置されることを特徴とする、請求項１１７〜請求項１５０のいずれか１つに記載のクロージャー手段。
【請求項１５２】
前記ロック手段が、前記ねじ手段（３８）のねじ部分（４３）から横方向に突出するロック付属物手段（４０）を含んでいることを特徴とする、請求項１５１に記載のクロージャー手段。
【請求項１５３】
前記ロック付属物手段（４０）が前記キャップ手段（３５）の底壁（３６）に向って突出していることを特徴とする、請求項１５２に記載のクロージャー手段。
【請求項１５４】
前記ロック付属物手段（４０）が、前記さらなるねじ手段（３８）の連続するらせんの間に含まれるゾーンを部分的に占有するように形設されることを特徴とする、請求項１５２または請求項１５３に記載のクロージャー手段。
【請求項１５５】
前記ねじ部分（４３）が、前記キャップ手段（３５）の底壁（３６）から遠い前記さらなるねじ手段（３８）の端部を規定することを特徴とする、請求項１５２〜請求項１５４のいずれか１つに記載のクロージャー手段。
【請求項１５６】
前記ロック付属物手段（４０）が、前記キャップ手段（３５）の底壁（３６）から遠い前記ねじ部分（４３）の端部ゾーンで得られることを特徴とする、請求項１５２〜請求項１５５のいずれか１つに記載のクロージャー手段。
【請求項１５７】
前記開封表示手段（３９）と前記キャップ手段（３５）の本体（３７）の間に介装される前記分離用ライン手段（４４；４９；５６）をさらに含む、請求項１５１〜請求項１５６のいずれか１つに記載のクロージャー手段。
【請求項１５８】
前記分離用ライン手段が、前記本体（３７）から少なくとも一部が分離されるように配置される第１キャップ部分（６２）を区切る第１分離用ラインを含んでいることを特徴とする、請求項１５７に記載のクロージャー手段。
【請求項１５９】
前記第１分離用ライン手段（４４）が、前記ねじ部分（４３）に対し横方向に配置される第１分離用ライン（４５）を含んでいることを特徴とする、請求項１５８に記載のキャップ手段に記載のクロージャー手段。
【請求項１６０】
前記第１分離用ライン（４５）が、前記キャップ手段（３５）の末端（４２）から、前記ねじ部分（４３）と前記ねじ部分（４３）より前記末端（４２）から遠いさらなるねじ部分（４６）の間に介装されているゾーンまで延在していることを特徴とする、請求項１５９に記載のクロージャー手段。
【請求項１６１】
前記第１分離用ライン手段（４４）が、前記ねじ部分（４３）に対し横方向に配置される第２分離用ライン（４７）を含んでいることを特徴とする、請求項１６０に記載のクロージャー手段。
【請求項１６２】
前記第２分離用ライン（４７）が、前記末端（４２）から前記ねじ部分（４３）と前記さらなるねじ部分（４６）の間に介装されるさらなるゾーンまで延在していることを特徴とする、請求項１６１に記載のクロージャー手段。
【請求項１６３】
前記第１分離用ライン（４５）と前記第２分離用ライン（４７）が、ロック付属物手段（４０）の反対側に配置されることを特徴とする、請求項１６１または請求項１６２に記載のクロージャー手段。
【請求項１６４】
前記第１分離用ライン手段（４４）が、前記第１分離用ライン（４５）の端部（１１４）と前記第２分離用ライン（４７）のさらなる端部（１１５）を接続させる第３分離用ライン（４８）をさらに含んでいることを特徴とする、請求項１６１〜請求項１６３のいずれか１つに記載のクロージャー手段。
【請求項１６５】
前記第３分離用ライン（４８）が、事実上、前記末端（４２）と平行であることを特徴とする、請求項１６４に記載のクロージャー手段。
【請求項１６６】
前記分離用ライン手段が、前記本体（３７）から少なくとも一部が分離されるように配置される第２キャップ部分（６３）を区切る第２分離用ライン手段（４９）を含んでいることを特徴とする、請求項１５７に記載のクロージャー手段。
【請求項１６７】
前記第２分離用ライン手段（４９）が、事実上、前記キャップ手段（３５）の末端（４２）と平行して延在する第４分離用ライン（５０）を備えていることを特徴とする、請求項１６６に記載のクロージャー手段。
【請求項１６８】
前記第４分離用ライン（５０）が、前記さらなるねじ手段（３８）より前記末端（４２）に近いことを特徴とする、請求項１６７に記載のクロージャー手段。
【請求項１６９】
前記第４分離用ライン（５０）が前記ねじ部分（４３）で中断されることを特徴とする、請求項１６８に記載のクロージャー手段。
【請求項１７０】
前記第２分離用ライン手段（４９）が、事実上、前記末端（４２）と平行して延在する第５分離用ライン（５３）をさらに含んでいることを特徴とする、請求項１６９に記載のクロージャー手段。
【請求項１７１】
前記第５分離用ライン（５３）が、前記ねじ部分（４３）と前記ねじ部分（４３）より前記末端（４２）から遠いさらなるねじ部分（４６）の間に延在していることを特徴とする、請求項１７０に記載のクロージャー手段。
【請求項１７２】
前記第５分離用ライン（５３）が、前記ねじ部分（４３）より大きい円周方向の延在を有することを特徴とする、請求項１７１に記載のクロージャー手段。
【請求項１７３】
前記第５分離用ライン（５３）が前記ねじ部分（４３）から左右に延在していることを特徴とする、請求項１７２に記載のクロージャー手段。
【請求項１７４】
前記第２分離用ライン手段（４９）が、前記第５分離用ライン（５３）の第１端部（１１０）と前記第４分離用ライン（５０）のさらなる第１端部（１１１）を接続させるようにして、前記さらなるねじ手段（３８）に対し横方向に配置される第６分離用ライン（５４）をさらに含んでいることを特徴とする、請求項１７０〜請求項１７３のいずれか１つに記載のクロージャー手段。
【請求項１７５】
前記第６分離用ライン（５４）が、中断ゾーンが前記ねじ部分（４３）に隣接している前記さらなるねじ手段（３８）の中断ゾーン（５２）に伸展していることを特徴とする、請求項１７４に記載のクロージャー手段。
【請求項１７６】
前記第２分離用ライン（４９）が、前記第５分離用ライン（５３）の第２端部（１１２）と前記第４分離用ライン（５０）のさらなる第２端部（１１３）を接続させるようにして、前記さらなるねじ手段（３８）に対し横方向に配置される第７分離用ライン（５５）をさらに含んでいることを特徴とする、請求項１７０〜請求項１７５のいずれか１つに記載のクロージャー手段。
【請求項１７７】
前記分離用ライン手段が、前記本体（３７）から少なくとも一部が分離されるように配置される第３キャップ部分（６４）を区切る第３分離用ライン手段（４４）を含んでいることを特徴とする、請求項１５７に記載のクロージャー手段。
【請求項１７８】
前記第３分離用ライン手段（４４）が、事実上、前記ねじ手段（３８）と平行して延在する第８分離用ライン手段（５７）を含んでいることを特徴とする、請求項１７７に記載のクロージャー手段。
【請求項１７９】
前記第８分離用ライン（５７）が、前記ねじ部分（４３）より前記キャップ手段（３５）の末端（４２）から遠いことを特徴とする、請求項１７８に記載のクロージャー手段。
【請求項１８０】
前記第８分離用ライン（５７）前記本体（３７）の側壁の広範な部分に沿って延在していることを特徴とする、請求項１７９に記載のクロージャー手段。
【請求項１８１】
前記第８分離用ライン（５７）が、事実上、３６０°の角の広がりを有することを特徴とする、請求項１４８に記載のクロージャー手段。
【請求項１８２】
前記第８分離用ライン（５７）が前記第１端部（１１６）と第２端部（１１７）を有し、前記第１端部（１１６）は第２端部（１１７）より前記末端（４２）から遠いことを特徴とする、請求項１７９〜請求項１８１のいずれか１つに記載のクロージャー手段。
【請求項１８３】
前記第３分離用ライン手段（５６）が、前記さらなるねじ手段（３８）に対し横方向に配置され、前記第１末端（１１６）と前記第２末端（１１７）を接続させる第９分離用ライン（５６）を含んでいることを特徴とする、請求項１８２に記載のクロージャー手段。
【請求項１８４】
前記さらなるねじ手段が複数のねじ（３８）を含んでいることを特徴とする、請求項１５１〜請求項１８３のいずれか１つに記載のクロージャー手段。
【請求項１８５】
前記複数のねじの各ねじ（３８）において前記ロック付属物手段のロック付属物（４０）が提供されることを特徴とする、請求項１８４、あるいは請求項１５７〜請求項１８３のいずれか１つに記載のクロージャー手段。
【請求項１８６】
前記開封表示手段が、前記コントラスト手段（６；６ａ）と相互作用するために配置される突出手段（１１；２３；１００；２６；３０）を含んでいて、前記分離用ライン手段（４４；４９；５６）に沿って前記キャップ手段（９；２２；２５）の本体（３７）から前記開封表示手段を分離させることを特徴とする、請求項１１７〜請求項１５０のいずれか１つに記載のクロージャー手段。
【請求項１８７】
前記突出手段（１１；２３；１００；２６；３０）が、前記第１当接面（７；３１）と相互作用するように形設されることを特徴とする、請求項１８６、あるいは請求項１２１〜請求項１５０のいずれか１つに記載のクロージャー手段。
【請求項１８８】
前記突出手段（１１；２３；１００；２６；３０）が、前記第１当接面（７；２１；）と相互作用するために配置されるゾーン（１０１）を含んでいることを特徴とする、請求項１８７に記載のクロージャー手段。
【請求項１８９】
前記突出手段（１１；２３；１００；２６；３０）が、前記第２当接面（２０；３２）と相互作用するように形設されることを特徴とする、請求項１８６〜請求項１８８のいずれか１つ、あるいは請求項１２７〜請求項１５０のいずれか１つに記載のクロージャー手段。
【請求項１９０】
前記突出手段（１１；２３；１００；２６；３０）が、前記第２当接面（２０；３２）と相互作用するために配置されるさらなるゾーン（２０１；３０１）を含んでいることを特徴とする、請求項１８９に記載のクロージャー手段。
【請求項１９１】
前記さらなるゾーン（２０１；３０１）が、事実上、前記第２当接面（２０；３２）と平行していることを特徴とする、請求項１９０に記載のクロージャー手段。
【請求項１９２】
前記さらなるゾーン（２０１；３０１）が、前記第２当接面（２０；３２）の対応するさらなる第１摩擦促進手段（２０３）と連係するための第１摩擦促進手段（２０２）を含んでいることを特徴とする、請求項１９０または請求項１９１に記載のクロージャー手段。
【請求項１９３】
前記第１摩擦促進手段（２０２）が波形部（２０４）を含んでいることを特徴とする、請求項１９２に記載の容器手段。
【請求項１９４】
前記突出手段（１１；２３；１００；２６；３０）が、前記ねじ手段（３）で得られる第３当接面（１２０）と相互作用するために配置されるさらなるゾーン（３０１）を含んでいることを特徴とする、請求項１８６〜請求項１９３のいずれか１つに記載のクロージャー手段。
【請求項１９５】
前記さらなるゾーン（３０１）が、事実上、前記第３当接面（１２０）と平行していることを特徴とする、請求項１９４に記載のクロージャー手段。
【請求項１９６】
前記さらなるゾーン（３０１）が、前記第３当接面（１２０）の対応する第２摩擦促進手段と連係する第２摩擦促進手段を含んでいることを特徴とする、請求項１９４または請求項１９５に記載のクロージャー手段。
【請求項１９７】
前記第２摩擦促進手段がさらなる波形部を有することを特徴とする、請求項１９６に記載の容器手段。
【請求項１９８】
前記突出手段（１１；２３；１００；２６；３０）が少なくとも１つの第１部分（１８）と少なくとも１つの第２部分（１９）とを含み、前記キャップ手段（３５）の辺縁に対し横方向に測定した寸法が、前記辺縁（４２）に対し横方向に測定した前記少なくとも１つの第２部分（１９）の対応するさらなる寸法よりも大きいことを特徴とする、請求項１８６〜請求項１９７のいずれか１つに記載のクロージャー手段。
【請求項１９９】
前記少なくとも１つの第１部分（１８）と前記少なくとも１つの第２部分（１９）が、互いに隣接していることを特徴とする、請求項１９８に記載のクロージャー手段。
【請求項２００】
前記突出手段がフラップ手段（１１；２３；１００）を含んでいることを特徴とする、請求項１８６〜請求項１９９のいずれか１つに記載のクロージャー手段。
【請求項２０１】
前記フラップ手段が複数の異なるフラップを含んでいることを特徴とする、請求項２００に記載のクロージャー手段。
【請求項２０２】
前記フラップ手段が連続するフラップを含んでいることを特徴とする、請求項２００に記載のクロージャー手段。
【請求項２０３】
前記突出手段がフック手段（２６；３０）を含んでいることを特徴とする、請求項１８６〜請求項１９９のいずれか１つに記載のクロージャー手段。
【請求項２０４】
前記フック手段が、互いに異なる複数のフック要素を含んでいることを特徴とする、請求項２０３に記載のクロージャー手段。
【請求項２０５】
前記フック手段が連続するフック要素を含んでいることを特徴とする、請求項２０３に記載のクロージャー手段。
【請求項２０６】
ねじ手段（１３８）と停止手段（６００）を含む開封表示手段（４０１）とを備えるキャップ手段（１３５）を含み、前記クロージャー手段がさらなるねじ手段（３）を備える容器の首部手段（１）をさらに含んでいて、前記停止手段（６００）が前記ねじ手段（１３８）のらせん手段に沿って提供され、前記首部手段（１）から突出する当接手段（７１）と相互作用することを特徴とする、クロージャー手段。
【請求項２０７】
前記停止手段（４００）が前記ねじ手段（１３８）において提供されることを特徴とする、請求項２０６に記載のクロージャー手段。
【請求項２０８】
前記ねじ手段（１３８）が、前記停止手段（６００）から分離されるねじ部分手段（４０４）を含み、前記停止手段（６００）と前記ねじ部分手段（４０４）が前記ねじ部分手段の同一らせんに沿って延在していることを特徴とする、請求項２０６または請求項２０７に記載のクロージャー手段。
【請求項２０９】
空隙手段（４０７）が、前記ねじ部分手段（４０４）と前記停止手段（６００）の間に介装されていることを特徴とする、請求項２０８に記載のクロージャー手段。
【請求項２１０】
前記開封表示手段（４０１）と前記キャップ手段（１３５）の基体（４０６）の間に介装される分離用ライン手段（４０２）が、前記分離用ライン手段（４０２）を基準として反対側に配置される前記空隙手段（４０７）、前記停止手段（６００）、および前記ねじ部分手段（４０４）を横断することを特徴とする、請求項２０９に記載のクロージャー手段。
【請求項２１１】
前記ねじ部分手段（４０４）が、前記基体（４０６）に伸展していることを特徴とする、請求項２１０に記載のクロージャー手段。
【請求項２１２】
前記停止手段（６００）が、前記当接手段（７１）と相互作用するために配置されるコントラスト表面手段（４０８）を含んでいることを特徴とする、請求項２０８〜請求項２１１のいずれか１つに記載のクロージャー手段。
【請求項２１３】
前記コントラスト表面手段（４０８）が、前記キャップ手段（１３５）を前記首部手段（１）から離れさせる方向に沿って、意図された開封方向に対し横方向に配置されることを特徴とする、請求項２１２に記載のクロージャー手段。
【請求項２１４】
前記停止手段が、互いに異なる複数の停止要素（６００）を含んでいることを特徴とする、請求項２０８〜請求項２１３のいずれか１つに記載のクロージャー手段。
【請求項２１５】
前記コントラスト表面手段（４０８）が互いに異なる複数のコントラスト表面（４０８ａ、４０８ｂ、４０８ｃ）を含み、前記複数の停止要素の各停止要素（６００）が前記複数のコントラスト表面の対応するコントラスト表面（４０８ａ、４０８ｂ、４０８ｃ）を含んでいることを特徴とする、請求項２１４に記載のクロージャー手段。
【請求項２１６】
前記停止手段（６００）が、前記ねじ手段（１３８）のさらなるねじ部分手段（４０５）を含んでいることを特徴とする、請求項２０８〜請求項２１５のいずれか１つに記載のクロージャー手段。
【請求項２１７】
前記ねじ手段（１３８）が互いに異なる複数のねじを含み、前記さらなるねじ部分手段（４０５）が互いに異なる複数のねじ端部（４０５ａ、４０５ｂ、４０５ｃ）を含み、前記複数のねじの各ねじが前記複数のねじ端部の対応するねじ端部（４０５ａ、４０５ｂ、４０５ｃ）を含んでいることを特徴とする、請求項２１６に記載のクロージャー手段。
【請求項２１８】
前記停止手段がフラップ手段を含んでいることを特徴とする、請求項２０８〜請求項２１５のいずれか１つに記載のクロージャー手段。
【請求項２１９】
前記フラップ手段が、前記キャップ手段（１３５）が回りながら前記首部手段（１）にはめられる際に、前記らせん手段の連続する２つのらせんの間で受けられるような寸法を有していることを特徴とする、請求項２１８に記載のクロージャー手段。
【請求項２２０】
前記停止手段がフック手段を含んでいることを特徴とする、請求項２０８〜請求項２１５のいずれか１つに記載のクロージャー手段。
【請求項２２１】
前記フック手段が、前記キャップ手段（１３５）が回りながら前記首部手段（１）にはめられる際に、前記らせん手段の連続する２つのらせんの間で受けられるような寸法を有していることを特徴とする、請求項２２０に記載のクロージャー手段。
【請求項２２２】
前記当接手段（７１）が前記首部手段（１）から円周方向に延在していることを特徴とする、請求項２０６〜請求項２２１のいずれか１つに記載のクロージャー手段。
【請求項２２３】
前記当接手段（７１）が、前記さらなるねじ手段（３）より前記首部手段（１）の開口部（５）から遠いことを特徴とする、請求項２０６〜請求項２２２のいずれか１つに記載のクロージャー手段。
【請求項２２４】
前記当接手段（７１）が、前記開口部（５）を基準として反対側の前記ねじ手段（３）から延在していることを特徴とする、請求項２２３に記載のクロージャー手段。
【請求項２２５】
前記当接手段（７１）が、前記コントラスト表面手段（４０８）と相互作用するために配置される作用表面手段（７２）を含んでいることを特徴とする、請求項２１２または請求項２１３、あるいは請求項２１４〜請求項２２４のいずれか１つに記載のクロージャー手段。
【請求項２２６】
前記作用表面手段（７２）と前記コントラスト表面手段（４０８）が前記キャップ手段（１３５）を前記首部手段（１）から離れさせる際に、前記開封表示手段（４０１）のブリッジ要素（４０３）の破壊を促進する剪断応力を生じさせるように形設されることを特徴とする、請求項２２５に記載のクロージャー手段。
【請求項２２７】
前記第１さらなるコントラスト手段（７１）が、前記作用表面手段（７２）を基準として横方向に配置されるさらなる作用表面手段（８２）を含んでいることを特徴とする、請求項２２５または請求項２２６に記載の容器手段。
【請求項２２８】
前記さらなる作用表面手段（８２）が前記キャップ手段（１３５）を前記首部手段（１）から離れさせる際に、前記開封表示手段（４０１）のブリッジ要素（４０３）の破壊を促進する牽引応力を生じさせるように形設されることを特徴とする、請求項２２７に記載のクロージャー手段。
【請求項２２９】
前記さらなるねじ手段（３）が、前記キャップ手段（１３５）を前記首部手段（１）から離れさせる方向に沿って、意図された開封方向（Ｈ）に対し横方向に配置される表面手段（７；３１）を備える端部（６；６ａ）を含んでいることを特徴とする、請求項２０６〜請求項２２８のいずれか１つに記載のクロージャー手段。
【請求項２３０】
前記作用表面手段（７２）と前記面手段（７；３１）が、事実上、同一表面上にあることを特徴とする、請求項２２９に記載のクロージャー手段。
【請求項２３１】
前記当接手段が、互いに異なる複数の当接要素（７１）を含んでいることを特徴とする、請求項２０６〜請求項２３０のいずれか１つに記載のクロージャー手段。
【請求項２３２】
前記作用表面手段が互いに異なる複数の作用表面（７２）を有し、前記複数の当接要素の各当接要素（７１）が前記複数の作用表面の対応する作用表面（７２）を含んでいることを特徴とする、請求項２３１、あるいは請求項２２９、あるいは請求項２３０に記載のクロージャー手段。
【請求項２３３】
前記さらなる作用表面手段が互いに異なる複数のさらなる作用表面（８２）を含み、前記複数の当接要素の各当接要素（７１）が前記複数のさらなる作用表面の対応するさらなる作用表面（８２）を含んでいることを特徴とする、請求項２３１または請求項２３２、あるいは請求項２２９または請求項２３０に記載のクロージャー手段。
【請求項２３４】
前記当接要素（７１）が、事実上、同一平面上に位置することを特徴とする、請求項２３１〜請求項２３３のいずれか１つに記載のクロージャー手段。
【請求項２３５】
前記さらなるねじ手段（３）が複数のさらなるねじを含み、前記複数の当接要素の各当接要素（７１）が前記複数のさらなるねじの対応するさらなるねじと関連があることを特徴とする、請求項２３１〜請求項２３４のいずれか１つに記載のクロージャー手段。
【請求項２３６】
前記キャップ手段（９；２２；２５；３５）の本体（３７）から分離用ライン手段（４４；４９；５６）に沿って前述の開封表示手段（１１；２３；２６；３０；３９）を分離させるコントラスト手段として、前記キャップ手段が開封表示手段を備える、キャップ手段（９；２２；２５；３５）と関連付け得る容器の首部（１）のねじ手段（３）の使用。
【請求項２３７】
容器の首部（１）と関連付け得ることが可能であり、前記キャップ手段（１３５）の本体（４０６）から分離用ライン手段（４０２）に沿って前記開封表示手段（４０１）を分離させるコントラスト手段として開封表示手段（４０１）を備える、ねじ手段（１３８）の使用。
【国際調査報告】
2009524556.tif 000034
2009524556.tif 000035
2009524556.tif 000036